(57)【特許請求の範囲】
【請求項１】
下記を具備する、無線通信ネットワークにおける通信方法、
第１の基地局によって、第１の送信パワーレベルで、第１のキャリアで通信することと、ここにおいて、前記第１のキャリアはダウンリンク用であり、前記第１のキャリアで通信することは、第１のユーザ機器（ＵＥ）および第２のＵＥに、前記第１の送信パワーレベルで、前記第１のキャリアで、制御情報を送ること、および前記第１のＵＥに、前記第１の送信パワーレベルで、前記第１のキャリアで、第１のデータ送信を送ることを備える、
前記第１の基地局によって、第２の送信パワーレベルで、第２のキャリアで通信することであって、前記第２の送信パワーレベルは、前記第２のキャリアで通信する第２の基地局への干渉を低減するために、前記第１の送信パワーレベルよりも低く、前記第１および第２の基地局は、異なるパワークラスに属するか、異なるアソシエーションタイプをサポートする、こと、ここにおいて、前記第２のキャリアはダウンリンク用であり、前記第２のキャリアで通信することは、前記第２のＵＥに、前記第２の送信パワーレベルで、前記第２のキャリアで、第２のデータ送信を送ることを備える。
【請求項２】
前記第１のキャリアは、第１のパワークラスの前記第１の基地局に割り当てられ、前記第２のキャリアは、前記第１のパワークラスとは異なる第２のパワークラスの前記第２の基地局に割り当てられている、請求項１に記載の方法。
【請求項３】
前記第１のキャリアは、制限のないアクセスの前記第１の基地局に割り当てられ、前記第２のキャリアは、制限されたアクセスの前記第２の基地局に割り当てられている、請求項１に記載の方法。
【請求項４】
前記第１および第２のキャリアがアップリンク用であり、前記第１のキャリアで通信することが、前記第１の送信パワーレベルで、前記第１のキャリアで、第１のユーザ機器（ＵＥ）によって送られる第１のデータ送信を受信することを含み、前記第２のキャリアで通信することが、前記第２の送信パワーレベルで、前記第２のキャリアで、第２のＵＥによって送られる第２のデータ送信を受信することを含む、請求項１に記載の方法。
【請求項５】
前記第１のキャリアで通信することは、前記第１のキャリアで、前記第１のＵＥから、制御情報を受信することをさらに含み、前記第２のキャリアで通信することは、前記第２のキャリアで、前記第２のＵＥから制御情報を受信することをさらに含む、請求項４に記載の方法。
【請求項６】
前記第２の基地局による通信のために、前記第２のキャリアの使用を決定するために、前記第２の基地局とシグナリングを交換すること
をさらに含む、請求項１に記載の方法。
【請求項７】
前記第２の基地局による使用のために、前記第１のキャリアの一部を予約することと、
前記第１の基地局による通信のために、前記第１のキャリアの残りの一部を使用すること
とをさらに含む、請求項１に記載の方法。
【請求項８】
前記第１の基地局のために、前記第２の基地局によって予約された前記第２のキャリアの一部を決定することと、
前記第１の基地局によって、前記第１の送信パワーレベルで、前記第２のキャリアの前記予約された一部で通信すること
とをさらに含む、請求項１に記載の方法。
【請求項９】
前記第１の基地局によって、前記第１および第２のキャリアのそれぞれで、少なくとも１つの同期信号を送ること
をさらに含む、請求項１に記載の方法。
【請求項１０】
前記第１の基地局によって、第３の送信パワーレベルで、第３のキャリアで通信することと、
前記第１の基地局によって、第４の送信パワーレベルで、第４のキャリアで通信することであって、前記第４の送信パワーレベルは、前記第４のキャリアでの干渉を低減するために、前記第３の送信パワーレベルよりも低く、前記第１および第２のキャリアは、ダウンリンクでの通信のために使用され、前記第３および第４のキャリアは、アップリンクでの通信のために使用される、こと
とをさらに含む、請求項１に記載の方法。
【請求項１１】
前記第２の基地局または前記無線ネットワークにとっての、割り当てられるキャリアの数、および、割り当てられたキャリアがいつ有効であるのかを示すスケジュールに基づいて、前記第２のキャリアでの送信パワーを低減するかどうかを決定すること
をさらに含む、請求項１に記載の方法。
【請求項１２】
前記第１のキャリアが使用を禁止されていないことを示す情報を同報することと、
前記第２のキャリアが使用を禁止されていることを示す情報を同報すること
とをさらに含む、請求項１に記載の方法。
【請求項１３】
前記第１のキャリアを介して前記第１の基地局にアクセスする少なくとも１つのユーザ機器（ＵＥ）を識別することと、
前記第１のキャリアから前記第２のキャリアに、前記少なくとも１つのＵＥを割り振ること
とをさらに含む、請求項１に記載の方法。
【請求項１４】
下記を具備する、無線通信のための装置、
第１の基地局によって、第１の送信パワーレベルで、第１のキャリアで通信するための手段と、ここにおいて、前記第１のキャリアはダウンリンク用であり、前記第１のキャリアで通信するための前記手段は、第１のユーザ機器（ＵＥ）および第２のＵＥに、前記第１の送信パワーレベルで、前記第１のキャリアで、制御情報を送るための手段、および前記第１のＵＥに、前記第１の送信パワーレベルで、前記第１のキャリアで、第１のデータ送信を送るための手段を備える、
前記第１の基地局によって、第２の送信パワーレベルで、第２のキャリアで通信するための手段であって、前記第２の送信パワーレベルは、前記第２のキャリアで通信する第２の基地局への干渉を低減するために、前記第１の送信パワーレベルよりも低く、前記第１および第２の基地局は、異なるパワークラスに属するか、異なるアソシエーションのタイプをサポートする、手段、ここにおいて、前記第２のキャリアはダウンリンク用であり、前記第２のキャリアで通信するための前記手段は、前記第２のＵＥに、前記第２の送信パワーレベルで、前記第２のキャリアで、第２のデータ送信を送るための手段を備える。
【請求項１５】
前記第２の基地局による使用のために、前記第１のキャリアの一部を予約するための手段と、
前記第１の基地局による通信のために、前記第１のキャリアの残りの一部を使用するための手段
とをさらに含む、請求項１４に記載の装置。
【請求項１６】
下記を具備する、無線通信のための装置、
第１の基地局によって、第１の送信パワーレベルで、第１のキャリアで通信し、かつ、前記第１の基地局によって、第２の送信パワーレベルで、第２のキャリアで通信するように構成され、前記第２の送信パワーレベルは、前記第２のキャリアで通信する第２の基地局への干渉を低減するために、前記第１の送信パワーレベルよりも低く、前記第１および第２の基地局は、異なるパワークラスに属するか、異なるアソシエーションのタイプをサポートする、少なくとも１つのプロセッサ
ここにおいて、前記第１および第２のキャリアがダウンリンク用であり、前記第１のキャリアで通信するように構成される前記少なくとも１つのプロセッサは、第１のユーザ機器（ＵＥ）および第２のＵＥに、前記第１の送信パワーレベルで、前記第１のキャリアで、制御情報を送るように構成される少なくとも１つのプロセッサ、および前記第１のＵＥに、前記第１の送信パワーレベルで、前記第１のキャリアで、第１のデータ送信を送るように構成される少なくとも１つのプロセッサを備え、前記第２のキャリアで通信するように構成される前記少なくとも１つのプロセッサは、前記第２のＵＥに、前記第２の送信パワーレベルで、前記第２のキャリアで、第２のデータ送信を送るように構成される少なくとも１つのプロセッサを備える。
【請求項１７】
前記少なくとも１つのプロセッサは、前記第２の基地局による使用のために、前記第１のキャリアの一部を予約し、かつ、前記第１の基地局による通信のために、前記第１のキャリアの残りの一部を使用するように構成されている、請求項１６に記載の装置。
【請求項１８】
下記を記憶しているコンピュータ可読記憶媒体、
第１の基地局によって、第１の送信パワーレベルで、第１のキャリアで、通信するように、少なくとも１つのコンピュータにさせるためのコードと、ここにおいて、前記第１のキャリアはダウンリンク用であり、前記第１のキャリアで通信するように前記少なくとも１つのコンピュータにさせるための前記コードは、第１のユーザ機器（ＵＥ）および第２のＵＥに、前記第１の送信パワーレベルで、前記第１のキャリアで、制御情報を送るように前記少なくとも１つのコンピュータにさせるためのコード、および前記第１のＵＥに、前記第１の送信パワーレベルで、前記第１のキャリアで、第１のデータ送信を送るように前記少なくとも１つのコンピュータにさせるためのコードを備える、
前記第１の基地局によって、第２の送信パワーレベルで、第２のキャリアで、通信するように、前記少なくとも１つのコンピュータにさせるためのコードであって、前記第２の送信パワーレベルは、前記第２のキャリアで通信する第２の基地局への干渉を低減するために、前記第１の送信パワーレベルよりも低く、前記第１および第２の基地局は、異なるパワークラスに属するか、異なるアソシエーションのタイプをサポートする、コード、ここにおいて、前記第２のキャリアはダウンリンク用であり、前記第２のキャリアで通信するように前記少なくとも１つのコンピュータにさせるための前記コードは、前記第２のＵＥに、前記第２の送信パワーレベルで、前記第２のキャリアで、第２のデータ送信を送るように前記少なくとも１つのコンピュータにさせるためのコードを備える。
【請求項１９】
下記を具備する、無線通信ネットワークで通信する方法、
第１の送信パワーレベルで、第１のキャリアで、および、第２の送信パワーレベルで、第２のキャリアで、動作する第１の基地局を検出することであって、前記第２の送信パワーレベルは、前記第２のキャリアで動作する第２の基地局への干渉を低減するために、前記第１の送信パワーレベルよりも低く、前記第１および第２の基地局は、異なるパワークラスに属するか、異なるアソシエーションのタイプをサポートする、ことと、
前記第１の送信パワーレベルで、前記第１のキャリアで、または、前記第２の送信パワーレベルで、前記第２のキャリアで、または、その両方で、前記第１の基地局と通信すること
ここにおいて、前記第１のキャリアで前記第１の基地局と通信することは、前記第１の送信パワーレベルで、前記第１のキャリアで、制御情報、または、第１のデータ送信、または、制御情報と第１のデータ送信の両方を通信することを備え、前記第２のキャリアで通信することは、前記第２の送信パワーレベルで、前記第２のキャリアで、第２のデータ送信を通信することを備える。
【請求項２０】
前記第１の基地局と通信することは、
前記第１および第２のキャリアの各々の受信信号品質を決定することと、
より高い受信信号品質を有する前記第１または第２のキャリアを選択することと、
前記選択されたキャリアで、前記第１の基地局と通信すること
とを含む、請求項１９に記載の方法。
【請求項２１】
前記第１の基地局と通信することは、
前記第２のキャリアでの干渉が、閾値を上回る場合に、前記第１のキャリアを選択することと、
前記第２のキャリアでの干渉が、閾値を下回る場合に、前記第２のキャリアを選択することと、
前記選択されたキャリアで、前記第１の基地局と通信すること
とを含む、請求項１９に記載の方法。
【請求項２２】
前記第１の基地局と通信することは、
通信のために、前記第１または第２のキャリアを選択することと、
前記第１の基地局と、前記選択されたキャリアで、制御情報を交換することと、
前記第１の基地局と、前記選択されたキャリアで、データを交換すること
とを含む、請求項１９に記載の方法。
【請求項２３】
前記第１の基地局と通信することは、
前記第１の基地局と、前記第１のキャリアで、制御情報を交換することと、
前記第１の基地局と、前記第２のキャリアで、データを交換すること
とを含む、請求項１９に記載の方法。
【請求項２４】
前記第１の基地局を検出することは、
前記第１の基地局を含む複数の基地局から、前記第１または第２のキャリアで、信号を受信することと、
前記受信された信号に基づいて、前記複数の基地局の中から、通信のために、前記第１の基地局を選択すること
とを含む、請求項１９に記載の方法。
【請求項２５】
下記を具備する、無線通信のための装置、
第１のキャリアで、第１の送信パワーレベルで、および、第２のキャリアで、第２の送信パワーレベルで、動作する第１の基地局を検出するための手段であって、前記第２の送信パワーレベルは、前記第２のキャリアで動作する第２の基地局への干渉を低減するために、前記第１の送信パワーレベルよりも低く、前記第１および第２の基地局は、異なるパワークラスに属するか、異なるアソシエーションのタイプをサポートする、手段と、
前記第１のキャリアで、前記第１の送信パワーレベルで、または、前記第２のキャリアで、前記第２の送信パワーレベルで、または、両方で、前記第１の基地局と通信するための手段
ここにおいて、前記第１のキャリアで前記第１の基地局と通信するための前記手段は、前記第１の送信パワーレベルで、前記第１のキャリアで、制御情報、または、第１のデータ送信、または、制御情報と第１のデータ送信の両方を通信するための手段を備え、前記第２のキャリアで通信するための前記手段は、前記第２の送信パワーレベルで、前記第２のキャリアで、第２のデータ送信を通信するための手段を備える。
【請求項２６】
前記第１の基地局と通信するための手段は、
通信のために、前記第１または第２のキャリアを選択するための手段と、
前記第１の基地局と、前記選択されたキャリアで、制御情報を交換するための手段と、
前記第１の基地局と、前記選択されたキャリアで、データを交換するための手段
とを含む、請求項２５に記載の装置。
【発明の詳細な説明】
【技術分野】
【０００１】
本願は、引用によりここに組み込まれ、この譲受人に譲渡される、２００８年６月２７日に出願された、「フレキシブルなマルチキャリア通信システム」（FLEXIBLE MULTICARRIER COMMUNICATION SYSTEM）と題する、米国仮出願番号第６１／０７６，３６６号の優先権を主張する。
本開示は、概して通信に関し、より詳細には、無線通信ネットワークで通信するための技術に関する。
【背景技術】
【０００２】
無線通信ネットワークは、音声、映像、パケットデータ、メッセージング、放送、等のさまざまな通信内容を供給するために、広く配備されている。これらの無線ネットワークは、利用可能なネットワークリソースを共有することにより複数のユーザをサポートすることができる、多元接続ネットワークでありうる。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００３】
無線通信ネットワークは、多数のユーザ機器（user equipments: UEs）のための通信をサポートすることができる、多数の基地局を含みうる。ＵＥは、ダウンリンクおよびアップリンクによって基地局と通信しうる。ダウンリンク（すなわち、フォワードリンク）は、基地局からＵＥへの通信リンクのことを言い、アップリンク（すなわち、リバースリンク）は、ＵＥから基地局への通信リンクのことを言う。
【０００４】
基地局は、ＵＥに、ダウンリンクで、データおよび制御情報を送信することができ、および／または、ＵＥから、アップリンクで、データおよび制御情報を受信しうる。ダウンリンクにおいて、基地局からの送信は、隣接基地局からの送信による干渉を観測しうる。アップリンクにおいて、ＵＥからの送信は、隣接基地局と通信中の他のＵＥｓからの送信による干渉を観測しうる。干渉は、ダウンリンクとアップリンクの両方で、パフォーマンスを低下しうる。
【発明の概要】
【０００５】
無線通信ネットワークにおいて複数のキャリアで通信するための技術が、ここに説明される。キャリアは、通信に使用されうる周波数の範囲であって、特定の中心周波数および特定の帯域幅によって定義されうる周波数の範囲でありうる。キャリアは、ガードバンドによって隣接のキャリアから分離され、以下に説明されるように、さらに他の属性を持ちうる。支配的干渉のシナリオ、干渉する基地局および／または干渉するＵＥｓより強い干渉が観測されうるシナリオで、複数のキャリアが、通信をサポートするために使用されうる。
【０００６】
一態様において、干渉を軽減し、全般的なパフォーマンスを良好に達成するために、異なる送信パワーレベルが異なるキャリアに使用されうる。一例において、第１の基地局は、通信に利用可能な複数のキャリアの中で、１つ以上のキャリアを割り当てられうる。第２の基地局は、第１の基地局に割り当てられていない１つ以上のキャリアを割り当てられる。第１の基地局は、第１の（たとえば、最大の）送信パワーレベルで、各割り当てられたキャリアで通信しうる。第１の基地局は、第２の送信パワーレベルで、各割り当てられていないキャリアで通信することができ、それは、第２の基地局への干渉を低減するために、第１の送信パワーレベルよりも低くなりうる。第１および第２の基地局は、異なるパワークラスに属しうる。たとえば、第１の基地局が高いパワーの基地局でありうる一方、第２の基地局は、より低いパワーの基地局でありうる。または、その逆も言える。第１および第２の基地局は、また、異なるアソシエーション／アクセスタイプをサポートしうる。たとえば、第１の基地局が制限のないアクセスをサポートしうる一方で、第２の基地局は制限されたアクセスをサポートしうる。または、その逆も言える。複数のキャリアでの通信は、以下に説明されるように、サポートされうる。
【０００７】
別の態様において、制御情報は、少なくとも１つの他のキャリアでの通信をサポートするために、指定されたキャリアで送られうる。局（たとえば、基地局またはＵＥ）は、少なくとも１つのキャリアで通信しうる。局は、少なくとも１つのキャリアでの通信のために、指定されたキャリアで、制御情報を交換（たとえば、送出または受信）しうる。制御情報は、スケジューリンググラントまたはアサインメント（scheduling grants or assignments）、チャネル品質インジケータ（ＣＱＩ）情報、確認応答（ＡＣＫ）情報、等を含みうる。制御情報は、指定されたキャリアで、より高い送信パワーレベルで送られることができ、それは、確実性を向上させる。
【０００８】
さらに別の態様において、通信に適したキャリアを選択するための自動設定（auto-configuration）が行われうる。局（たとえば、基地局またはＵＥ）は、通信に利用可能な複数のキャリアの各々についてのメトリックを決定しうる。メトリックは、信号強度以外の少なくとも１つのパラメータ、たとえば、受信信号品質、パスロス、等を含みうる。局は、各キャリアについてのメトリックに基づいて、複数のキャリアの中から、通信用のキャリアを選択しうる。そして、局は、選択されたキャリアで通信しうる。一例において、データも制御情報も、選択されたキャリアを介して、交換（たとえば、送出または受信）されうる。別の例において、制御情報は、選択されたキャリアを介して交換されることができ、データは、選択されたキャリアおよび／または別のキャリアを介して交換されうる。
【０００９】
さらに別の態様において、基地局は、キャリアの状態を示すバー情報を同報しうる。基地局は、各キャリアについてのバー情報を決定しうる。一例において、各キャリアについてのバー情報は、キャリアが使用を禁止されているかどうかを示しうる。別の例において、所与のキャリアについてのバー情報は、キャリアが、第１のＵＥｓセットには禁止されていないが、第２のＵＥｓセットには禁止されていることを示しうる。各キャリアについてのバー情報は、そのキャリアでの通信およびアクセスを制御するのに使用されうる他の情報をも含みうる。基地局は、ＵＥｓにバー情報を同報することができ、それらは、基地局へのアクセスを決定するために、バー情報を使用しうる。
【００１０】
本開示のさまざまな態様および特徴が、以下にさらに詳細に説明される。
【図面の簡単な説明】
【００１１】
【図１】無線通信ネットワークを示す図である。
【図２】単一のキャリアのキャリア構造を示す図である。
【図３Ａ】複数のキャリアのキャリア構造を示す図である。
【図３Ｂ】複数のキャリアのキャリア構造を示す図である。
【図４】マクロ基地局による、２つのキャリアでの動作と、ピコまたはフェムト基地局による、２つのキャリアのうち１つでの動作を示す図である。
【図５】複数のダウンリンクおよびアップリンクキャリアでの通信を示す図である。
【図６】基地局による複数のキャリアでの通信のためのプロセスを示す図である。
【図７】基地局による複数のキャリアでの通信のための装置を示す図である。
【図８】基地局による割り当てられたキャリアでの通信のためのプロセスを示す図である。
【図９】基地局による割り当てられたキャリアでの通信のための装置を示す図である。
【図１０】ＵＥによる通信のためのプロセスを示す図である。
【図１１】ＵＥによる通信のための装置を示す図である。
【図１２】制御情報が単一のキャリアで送られる、複数のキャリアでの通信のためのプロセスを示す図である。
【図１３】制御情報が単一のキャリアで送られる、複数のキャリアでの通信のための装置を示す図である。
【図１４】自動設定により選択されたキャリアでの通信のためのプロセスを示す図である。
【図１５】自動設定により選択されたキャリアでの通信のための装置を示す図である。
【図１６】基地局によってバー情報を同報するためのプロセスを示す図である。
【図１７】基地局によってバー情報を同報するための装置を示す図である。
【図１８】基地局とＵＥのブロック図である。
【詳細な説明】
【００１２】
ここに説明される技術は、ＣＤＭＡ、ＴＤＭＡ、ＦＤＭＡ、ＯＦＤＭＡ、ＳＣ−ＦＤＭＡおよび他のネットワーク等のさまざまな無線通信ネットワークに使用されうる。「ネットワーク」および「システム」という用語は、しばしば互換性をもって使用される。ＣＤＭＡネットワークは、ユニバーサル地上無線アクセス（Universal Terrestrial Radio Access：ＵＴＲＡ）、ｃｄｍａ２０００、等の無線技術を実現しうる。ＵＴＲＡは、広帯域ＣＤＭＡ（ＷＣＤＭＡ）および他の異なるＣＤＭＡを含む。ｃｄｍａ２０００は、ＩＳ−２０００、ＩＳ−９５およびＩＳ−８５６規格をカバーする。ＴＤＭＡネットワークは、移動通信のためのグローバルシステム（ＧＳＭ（登録商標））等の無線技術を実現しうる。ＯＦＤＭＡネットワークは、エボルブドＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ（登録商標）、等の無線技術を実現しうる。ＵＴＲＡおよびＥ−ＵＴＲＡは、ユニバーサル・モバイル・テレコミュニケーション・システム（ＵＭＴＳ）の一部である。３ＧＰＰロングタームエボリューション（ＬＴＥ）およびＬＴＥ−アドバンスド（ＬＴＥ−Ａ）は、Ｅ-ＵＴＲＡを使用するＵＭＴＳの新たなリリースである。ＵＴＲＡ、Ｅ-ＵＴＲＡ、ＵＭＴＳ、ＬＴＥ、ＬＴＥ−ＡおよびＧＳＭは、「第三世代パートナーシッププロジェクト」（３ＧＰＰ）と称する組織による資料で説明されている。ｃｄｍａ２０００およびＵＭＢは、「第三世代パートナーシッププロジェクト２」（３ＧＰＰ２）と称する組織による資料で説明されている。ここに説明される技術は、上記の無線ネットワークおよび無線技術だけでなく、他の無線ネットワークおよび無線技術にも使用されうる。明確には、これらの技術のある特定の態様が、ＬＴＥについて以下に説明され、ＬＴＥ技術は、以下の説明の大部分で使用される。
【００１３】
図１は無線通信ネットワーク１００を示し、これは、ＬＴＥネットワーク、または、ある他のネットワークでありうる。無線ネットワーク１００は、多数のエボルブド・ノードＢ（ｅＮＢｓ：evolved Node Bs）１１０および他のネットワークエンティティを含みうる。ｅＮＢは、ＵＥｓと通信する局であることもでき、基地局、ノードＢ、アクセスポイント等とも呼ばれうる。各ｅＮＢ１１０は、特定の地理的エリアに通信カバレッジを提供しうる。３ＧＰＰにおいて、「セル」という用語は、その用語が使用される文脈によっては、ｅＮＢのカバレッジエリア、および／または、このカバレッジエリアにサービスするｅＮＢサブシステムのことを言う場合もある。
【００１４】
ｅＮＢは、マクロセル、ピコセル、フェムトセル、および／または、他のタイプのセルの通信カバレッジを提供しうる。マクロセルは、比較的広い地理的エリア（たとえば、半径数キロメートル）をカバーし、サービスに加入したＵＥｓによる、制限のないアクセスを可能にさせうる。ピコセルは、比較的狭い地理的エリアをカバーし、サービスに加入したＵＥｓによる、制限のないアクセスを可能にさせうる。フェムトセルは、比較的狭い地理的エリア（たとえば、家）をカバーし、フェムトセルとの関連を有するＵＥｓ（たとえば、クローズド・サブスクライバ・グループ（Closed Subscriber Group：ＣＳＧ）のＵＥｓ、ＵＥｓのホームユーザ、等）による、制限されたアクセスを可能にさせうる。マクロセルのｅＮＢは、マクロｅＮＢと呼ばれうる。ピコセルのｅＮＢは、ピコｅＮＢと呼ばれうる。フェムトセルのｅＮＢは、フェムトｅＮＢまたはホームｅＮＢと呼ばれうる。図１に示された例において、ｅＮＢｓ１１０ａ、１１０ｂ、および１１０ｃは、それぞれ、マクロセル１０２ａ、１０２ｂ、および１０２ｃのマクロｅＮＢでありうる。ｅＮＢ１１０ｘは、ピコセル１０２ｘのピコｅＮＢでありうる。ｅＮＢ１１０ｙおよび１１０ｚは、それぞれ、フェムトセル１０２ｙおよび１０２ｚのフェムトｅＮＢまたはホームｅＮＢでありうる。ｅＮＢは、１つまたは複数（たとえば、３つの）セルをサポートしうる。
【００１５】
無線ネットワーク１００は、さらに、中継局、たとえば、中継局１１０ｒを含みうる。中継局は、上流の局（たとえば、ｅＮＢまたはＵＥ）からデータおよび／または他の情報の送信を受信し、下流の局（たとえば、ＵＥまたはｅＮＢ）にデータおよび／または他の情報の送信を送る局である。中継局は、また、他のＵＥｓの伝送を中継するＵＥであってもよい。中継局は、また、中継ｅＮＢ、中継器、等とよばれることもある。
【００１６】
無線ネットワーク１００は、１種類のｅＮＢ、たとえば、マクロｅＮＢのみ、または、フェムトｅＮＢのみを含む同種ネットワークであってもよい。無線ネットワーク１００は、また、さまざまな種類のｅＮＢ、たとえば、マクロｅＮＢ、ピコｅＮＢ、フェムトｅＮＢ、中継器、等を含む異種ネットワークであってもよい。さまざまな種類のｅＮＢは、種々の送信パワーレベル、種々のカバレッジエリア、および、無線ネットワーク１００での干渉における種々の影響を持ちうる。たとえば、マクロｅＮＢは、高い送信パワーレベル（たとえば、２０ワット）を持ちうるのに対し、ピコｅＮＢ、フェムトｅＮＢ、および中継器は、より低い送信パワーレベル（たとえば、１ワット）を持ちうる。ここに説明される技術は、同種ネットワークにも異種ネットワークにも使用されうる。これらの技術は、異なるタイプのｅＮＢおよび中継器に使用されうる。
【００１７】
無線ネットワーク１００は、同期または非同期動作をサポートしうる。同期動作において、ｅＮＢｓは、同様のフレームタイミングを有し、種々のｅＮＢｓからの送信は、時間的にほぼ一直線に並びうる。非同期動作において、ｅＮＢｓは、種々のフレームタイミングを有し、種々のｅＮＢｓからの送信は、時間的に一直線に並びえない。ここに説明される技術は、同期および非同期の両動作に使用されうる。
【００１８】
ネットワークコントローラ１３０は、ｅＮＢｓのセットに接続され、これらのｅＮＢに調整および制御を提供しうる。ネットワークコントローラ１３０は、バックホール（backhaul）を介してｅＮＢｓ１１０と通信しうる。さらに、ｅＮＢｓ１１０は、たとえば、無線または有線バックホールを介して、互いに通信しうる。
【００１９】
ＵＥｓ１２０は、無線ネットワーク１００中に分散させられてもよく、各ＵＥは、固定であっても可動であってもよい。ＵＥは、端末、移動局、加入者ユニット、局、等と呼ばれることもある。ＵＥは、セルラー電話、携帯情報端末（ＰＤＡ）、無線モデム、無線通信デバイス、ハンドヘルドデバイス、ラップトップコンピュータ、コードレス電話、無線ローカルループ（ＷＬＬ）局、等でありうる。ＵＥは、マクロｅＮＢ、ピコｅＮＢ、フェムトｅＮＢ、中継器、等と通信可能でありうる。図１において、両側矢印の実線は、ＵＥとサービスするｅＮＢ間の望ましい伝送を示し、これは、ダウンリンクおよび／またはアップリンクでＵＥにサービスするように指定されたｅＮＢである。両側矢印の破線は、ＵＥおよびｅＮＢ間の干渉する伝送を示す。
【００２０】
無線ネットワーク１００は、設定可能なシステム帯域幅での動作をサポートしうる。たとえば、無線ネットワーク１００は、１．２５、２．５、５、１０または２０メガヘルツ（ＭＨｚ）のシステム帯域幅での動作をサポートする、ＬＴＥネットワークでありうる。システム帯域幅は、サブバンドに分割されうる。たとえば、１つのサブバンドが１．０８ＭＨｚをカバーすることもあり、すると、１．２５、２．５、５、１０または２０ＭＨｚのシステム帯域幅には、それぞれ、１、２、４、８または１６のサブバンドがありうる。
【００２１】
図２は、単一のダウンリンクキャリアでの通信をサポートするキャリア構造２００の例を示す。ダウンリンクキャリアは、ＢＷの帯域幅を持ち、周波数ｆｃを中心としうる。ｅＮＢは、ｅＮＢのセルごとに、プライマリ同期信号（ＰＳＳ）およびセカンダリ同期信号（ＳＳＳ）を送信しうる。同期信号は、セルの検出および捕捉のために、ＵＥｓによって使用されうる。ｅＮＢは、また、ＬＴＥにおいて、物理同報チャネル（Physical Broadcast Channel：ＰＢＣＨ）、物理制御フォーマットインジケータチャネル（Physical Control Format Indicator Channel：ＰＣＦＩＣＨ）、物理ＨＡＲＱインジケータチャネル（Physical HARQ Indicator Channel：ＰＨＩＣＨ）および物理ダウンリンク制御チャネル（Physical Downlink Control Channel：ＰＤＣＣＨ）といった、さまざまな制御チャネルを送信することができる。ＰＢＣＨは、ある一定のシステム情報を搬送しうる。ＰＣＦＩＣＨは、１つのサブフレームにおける、制御チャネルに使用されるシンボル期間（Ｍ）の数を伝えうる。ＰＨＩＣＨは、ハイブリッド自動再送（ＨＡＲＱ）をサポートするために、ＡＣＫ情報を搬送しうる。ＰＤＣＣＨは、ダウンリンクおよびアップリンクでのデータ送信のための、ＵＥｓ用のスケジューリンググラントといった制御情報を搬送しうる。ｅＮＢは、また、ＬＴＥにおいて、物理ダウンリンク共同チャネル（Physical Downlink Shared Channel：ＰＤＳＣＨ）といった１つ以上のデータチャネルを送信することができる。ＰＤＳＣＨは、ダウンリンクでのデータ送信のためにスケジュールされたＵＥｓのためのデータを搬送しうる。ｅＮＢは、中央の１．０８ＭＨｚのダウンリンクキャリアで、ＰＳＳ、ＳＳＳおよびＰＢＣＨを送信することができる。ｅＮＢは、ＰＣＦＩＣＨ、ＰＨＩＣＨおよびＰＤＳＣＨを、これらのチャネルが送られる各シンボル期間に、ダウンリンクキャリアの全部または一部にわたって、送信することができる。
【００２２】
ＵＥは、複数のｅＮＢのカバレッジ内にありうる。これらのｅＮＢの１つが、そのＵＥにサービスするように選択されうる。サービスするｅＮＢは、受信信号品質、パスロス、等のさまざまな基準に基づいて選択されうる。受信信号品質は、信号対ノイズ比（signal-to-noise ratio：ＳＮＲ）、キャリア対干渉比（career-to-interference ratio：Ｃ／Ｉ）、等によって定められうる。
【００２３】
ＵＥは、支配的干渉のシナリオ、そのＵＥが、１つ以上の干渉するｅＮＢから強い干渉を観測しうるシナリオで、動作しうる。支配的干渉のシナリオは、制限されたアソシエーションによって起こりうる。たとえば、図１において、ＵＥ１２０ｙは、フェムトｅＮＢ１１０ｙに接近し、ｅＮＢ１１０ｙに対し、高い受信パワーを持ちうる。しかし、ＵＥ１２０ｙは、制限されたアソシエーションにより、フェムトｅＮＢ１１０ｙにアクセス可能にはなりえず、そして、（図１に示されているように）より低い受信パワーのマクロｅＮＢ１１０ｃ、または、これもまたより低い受信パワーのフェムトｅＮＢ１１０ｚ（図１に示さず）に接続しうる。そして、ＵＥ１２０ｙは、ダウンリンクではフェムトｅＮＢ１１０ｙからの強い干渉を観測し、さらに、アップリンクではｅＮＢ１１０ｙへの強い干渉を生じうる。
【００２４】
さらに、支配的干渉のシナリオは、レンジ拡張によって起こることもあり、それは、ＵＥが、ＵＥによって検出されたすべてのｅＮＢｓのうち、より少ないパスロスとより低いＳＮＲを持つｅＮＢに接続されるシナリオである。たとえば、図１において、ＵＥ１２０ｘは、マクロｅＮＢ１１０ｂとピコｅＮＢ１１０ｘを検出し、ｅＮＢ１１０ｂよりもｅＮＢ１１０ｘに対して、より低い受信パワーを持ちうる。それにもかかわらず、ｅＮＢ１１０ｘのパスロスがマクロｅＮＢ１１０ｂのパスロスよりも少ない場合には、ピコｅＮＢ１１０ｘに接続することが、ＵＥ１２０ｘにとって望ましくなりうる。これは、ＵＥ１２０ｘについて、所与のデータレートについて、無線ネットワークへのより小さい干渉という結果をもたらすことができる。レンジ拡張は、中継器にも使用されうる。
【００２５】
ある態様において、支配的干渉のシナリオでの通信は、複数のキャリアを使用し、種々のキャリアにｅＮＢｓを割り当てて、良好なパフォーマンスを達成できるようにすることにより、サポートされうる。一般的に、任意の数のキャリアが、ダウンリンクおよびアップリンクのそれぞれに使用されうる。キャリアの数は、システムの帯域幅、各キャリアの所望または必須の帯域幅、等のさまざまなファクタに依存しうる。利用可能なキャリアは、以下に説明されるように、さまざまな方法で、ｅＮＢｓに割り当てられうる。
【００２６】
図３Ａは、２つのダウンリンクキャリア１および２での通信をサポートするキャリア構造３００の例を示す。システム帯域幅ＢＷは、２つのキャリアに分割され、各ダウンリンクキャリアは、ＢＷ／２の帯域幅を持ちうる。たとえば、１０ＭＨｚのシステム帯域幅は、２つの５ＭＨｚのキャリアに分割されうる。一般的に、システム帯域幅は、均等に分割されても不均等に分割されてもよく、ダウンリンクキャリアは、同一または異なる帯域幅を持ちうる。
【００２７】
一例において、２つのダウンリンクキャリアは、異なるパワークラスのｅＮＢｓに割り当てられうる。高いパワーのｅＮＢｓ（たとえば、マクロｅＮＢｓ）は、一方のダウンリンクキャリア（たとえば、キャリア１）が割り当てられ、より低いパワーのｅＮＢｓ（たとえば、ピコおよびフェムトｅＮＢｓ）は、他方のダウンリンクキャリア（たとえば、キャリア２）が割り当てられうる。別の例において、２つのダウンリンクキャリアは、異なるアソシエーション／アクセスタイプのｅＮＢｓに割り当てられうる。制限のないｅＮＢｓ（たとえば、マクロおよびピコｅＮＢｓ）は、一方のダウンリンクキャリア（たとえば、キャリア１）が割り当てられ、制限されたｅＮＢｓ（たとえば、フェムトｅＮＢｓ）は、他方のダウンリンクキャリア（たとえば、キャリア２）が割り当てられうる。２つのキャリアは、他の方法でｅＮＢｓに割り当てられてもよい。
【００２８】
図３Ｂは、Ｍ個のダウンリンクキャリア１からＭでの通信をサポートするキャリア構造３１０の例を示し、Ｍは２よりも大きいものとしうる。システムの帯域幅ＢＷは、Ｍ個の均等な部分に分割され、各ダウンリンクキャリアは、ＢＷ／Ｍの帯域幅を持ちうる。たとえば、１０ＭＨｚのシステム帯域幅は、４つの２．５ＭＨｚのキャリアに分割されうる。一般的に、システムの帯域幅は、Ｍ個の部分に、均等または不均等に分割されうる。Ｍ個のダウンリンクキャリアは、同一または異なる帯域幅を持ちうる。たとえば、１０ＭＨｚのシステム帯域幅は、（ｉ）４つの２．５ＭＨｚのキャリア、（ｉｉ）１つの５ＭＨｚのキャリアと２つの２．５ＭＨｚのキャリア、（ｉｉｉ）８つの１．２５ＭＨｚのキャリア、（ｉｖ）１つの５ＭＨｚのキャリア、１つの２．５ＭＨｚのキャリア、および、２つの１．２５ＭＨｚのキャリア、または、（ｖ）いくつかの他の組合せのキャリアに分割されうる。
【００２９】
Ｍ個のダウンリンクキャリアが、さまざまな方法で、ｅＮＢｓに割り当てられうる。一例において、異なるパワークラスのｅＮＢｓは、異なるダウンリンクキャリアが割り当てられうる。別の例において、異なるアソシエーションタイプのｅＮＢｓは、異なるダウンリンクキャリアが割り当てられうる。さらに別の例において、互いに強い干渉を生じるｅＮＢｓは、異なるダウンリンクキャリアが割り当てられうる。たとえば、１０ＭＨｚのシステム帯域幅は、１つの５ＭＨｚのキャリアと２つの２．５ＭＨｚのキャリアに分割されうる。図１に示された例において、マクロｅＮＢ１１０ｃは、５ＭＨｚのキャリアが割り当てられ、フェムトｅＮＢ１１０ｙは、ある２．５ＭＨｚのキャリアが割り当てられ、フェムトｅＮＢ１１０ｚは、別の２．５ＭＨｚのキャリアが割り当てられうる。
【００３０】
一般的に、ｅＮＢは、１つ以上のダウンリンクキャリアが割り当てられうる。一例において、ｅＮＢは、各割り当てられたダウンリンクキャリアにおいて、最大のパワーで送信しうる。一例において、ｅＮＢは、各割り当てられていないダウンリンクキャリアで送信することを回避しうるか、このキャリアが割り当てられている他のｅＮＢｓへの干渉を低減するために、より低いパワーレベルで送信しうる。このように、ｅＮＢは、割り当てられたキャリアと割り当てられていないキャリアとでは、異なるパワーレベルで送信しうる。一般的に、割り当てられたキャリアには、より高い送信パワーが使用され、割り当てられていないキャリアには、より低い（または、ゼロの）送信パワーが使用されうる。各ｅＮＢについて、割り当てられたキャリアのほうが、割り当てられていないキャリアよりも、他のｅＮＢｓからの干渉がより少なくなりうる。
【００３１】
図４は、２つのダウンリンクキャリア１および２でのマクロｅＮＢによる例示的な動作を示す。横軸は周波数を表し、縦軸は送信パワーを表しうる。マクロｅＮＢは、ダウンリンクキャリア１が割り当てられ、このキャリアで、最大のパワーで送信しうる。マクロｅＮＢは、キャリア２が割り当てられている他のｅＮＢｓへの干渉を低減するために、（図４に示されているように）ダウンリンクキャリア２で、より低いパワーレベルで送信しうるか、または、（図４に示されていないが）キャリア２で送信することを回避しうる。
【００３２】
図４は、また、２つのダウンリンクキャリア１および２が利用可能な例について、ピコまたはフェムトｅＮＢによる例示的な動作を示す。ピコまたはフェムトｅＮＢは、ダウンリンクキャリア２が割り当てられ、このキャリアで、最大のパワーで送信しうる。ピコまたはフェムトｅＮＢは、（図４に示されているように）ダウンリンクキャリア１で送信することを回避しうるか、または、キャリア１が割り当てられたマクロｅＮＢへの干渉を低減するために、（図４に示されていないが）キャリア１で、より低いパワーレベルで送信しうる。
【００３３】
図４に示された例は、制限されたアソシエーションのシナリオでの通信をサポートすることもでき、フェムトｅＮＢは、ダウンリンクキャリア２が割り当てられている。フェムトｅＮＢの範囲内のＵＥは、ダウンリンクキャリア１でマクロｅＮＢに接続することができ、ダウンリンクキャリア２でのフェムトｅＮＢからの強い干渉を回避することができる。図４に示された例は、また、レンジ拡張シナリオでの通信をサポートすることもでき、ピコｅＮＢはダウンリンクキャリア２が割り当てられている。ピコｅＮＢの範囲内のＵＥは、ダウンリンクキャリア２でピコｅＮＢに接続することができ、ダウンリンクキャリア１でのマクロｅＮＢからの強い干渉を回避することができる。
【００３４】
一例において、利用可能なダウンリンクキャリアは、動的かつフレキシブルな方法で、ｅＮＢｓに割り当てられうる。利用可能なダウンリンクキャリアは、１つ以上のメトリックに基づいてｅＮＢｓに割り当てられ、それは、ネットワークパフォーマンス、ＵＥパフォーマンス、等に関連しうる。
【００３５】
一例において、ダウンリンクキャリアは、所定のスケジュールに基づいて、ｅＮＢｓに割り当てられうる。スケジュールは、種々のｅＮＢｓに割り当てられるダウンリンクキャリアの数、および、割り当てられたダウンリンクキャリアがいつ有効であるのかを示しうる。スケジュールは、良好なパフォーマンスを得るために、ネットワークオペレータによって生成されうる。たとえば、４つのダウンリンクキャリアが利用可能であることも、日中に３つのダウンリンクキャリアがマクロｅＮＢｓに割り当てられることも、より多くの人々が家に居り、自分たちのフェムトｅＮＢｓを使用することが予想される夜間に３つのダウンリンクキャリアがフェムトｅＮＢｓに割り当てられることもある。
【００３６】
別の例において、ｅＮＢｓは、これらのｅＮＢｓの間でダウンリンクキャリアを割り当てるために、互いに通信しうる。たとえば、マクロｅＮＢ（または、ネットワークエンティティ）は、隣接ｅＮＢｓの負荷を得て、良好なパフォーマンスが達成できるように、それ自体および隣接ｅＮＢｓに、ダウンリンクキャリアを割り当てうる。
【００３７】
一例において、１つのダウンリンクキャリアが、ｅＮＢのダウンリンクアンカーキャリアとして、指定されうる。ダウンリンクアンカーキャリアは、以下の属性のうち１つ以上を持ちうる：
・ｅＮＢによって、最大のパワーで送信されうる、
・他のｅＮＢｓからの干渉が少ない、
・捕捉に使用される同期信号を搬送する、
・アンカーキャリアおよび／または他のキャリアでのデータ送信の制御情報を搬送する、
・単一のキャリアで動作可能なＵＥｓの通信をサポートする、および
・動作に好適なダウンリンクキャリアでありうる。
【００３８】
一例において、１つのアップリンクキャリアが、ｅＮＢのアップリンクアンカーキャリアとして指定されうる。アップリンクアンカーキャリアは、以下の属性のうち１つ以上を持ちうる：
・他のｅＮＢｓによってサービスされる他のＵＥｓからの干渉が少ない、
・アンカーキャリアおよび／または他のキャリアでのデータ送信の制御情報を搬送する、
・単一のキャリアで動作可能なＵＥｓの通信をサポートする、および
・動作に好適なアップリンクキャリアでありうる。
【００３９】
一例において、ダウンリンクアンカーキャリアおよび／またはアップリンクアンカーキャリアは、ｅＮＢに固有であってもよいし、ｅＮＢによってサービスされる全ＵＥｓに適用されてもよい。別の例において、ダウンリンクアンカーキャリアおよび／またはアップリンクアンカーキャリアは、ＵＥに固有であってもよいし、異なるＵＥｓは、異なるダウンリンクアンカーキャリアおよび／または異なるアップリンクアンカーキャリアを有してもよい。
【００４０】
一例において、制限のないｅＮＢｓは、利用可能なダウンリンクキャリアの各々で、同期信号（たとえば、ＰＳＳおよびＳＳＳ）を送信しうる。制限されたｅＮＢｓは、各割り当てられたダウンリンクキャリアで、同期信号を送信しうる。マクロｅＮＢｓは、割り当てられていないダウンリンクキャリアで同期信号を送信する場合に、より低いパワーを使用しうる。ＵＥｓは、これらのｅＮＢｓによって送信された同期信号に基づいて、ｅＮＢｓを検出しうる。ＵＥｓは、マクロｅＮＢｓが、これらのキャリアで、より低いパワーレベルで送信するため、制限されたｅＮＢｓに割り当てられたダウンリンクキャリアで、制限されたｅＮＢｓとマクロｅＮＢｓの両方からの同期信号を検出可能でありうる。ＵＥｓは、また、同期信号に基づいて、受信信号品質、パスロス、および／または、他のメトリックを決定しうる。サービスするｅＮＢｓは、（単数または複数の）メトリックに基づいて、ＵＥｓのために選択されうる。
【００４１】
ｅＮＢは、１つ以上の割り当てられたダウンリンクキャリアと、１つ以上の割り当てられていないダウンリンクキャリアを持ちうる。ｅＮＢは、各割り当てられたダウンリンクキャリアで、１つ以上のＵＥｓにサービスすることができ、各割り当てられていないダウンリンクキャリアでも、０個以上のＵＥｓにサービスすることができる。たとえば、ｅＮＢは、これらのＵＥが他のｅＮＢｓからの強い干渉を克服可能でありうるため、割り当てられていないダウンリンクキャリアでは、強いＵＥｓ（たとえば、パスロスがより少ないＵＥｓ）にサービスしうる。ｅＮＢは、これらのＵＥが他のｅＮＢｓからのより少ない干渉を観測しうるように、割り当てられたダウンリンクキャリアでは、弱いＵＥｓ（たとえば、パスロスがより大きいＵＥｓ）にサービスしうる。
【００４２】
ｅＮＢは、さまざまな方法で、割り当てられたダウンリンクキャリアおよび割り当てられていないダウンリンクキャリアで、データおよび制御情報を送信しうる。制御情報は、スケジューリンググラント（scheduling grants）、ＡＣＫ情報、等を含みうる。一例において、ｅＮＢは、同一のダウンリンクキャリアで、各ＵＥについてのデータおよび制御情報を送信しうる。この例は、データおよび制御情報が同一のキャリアで送られるため、動作を簡潔化しうる。別の例において、ｅＮＢは、異なるダウンリンクキャリアで、所与のＵＥについてのデータおよび制御情報を送信しうる。たとえば、ｅＮＢは、ＵＥに、割り当てられたダウンリンクキャリアで制御情報を送信し、割り当てられていないダウンリンクキャリアでデータを送信しうる。この例は、ｅＮＢが、割り当てられたダウンリンクキャリアで、より高いパワーで制御情報を送信することができるため、パフォーマンスを向上させうる。一例において、新たなＰＤＣＣＨフォーマットは、複数のダウンリンクキャリアで、データ送信のためのスケジューリンググラントを伝えるために使用されうる。異なるダウンリンクキャリアのためのスケジューリンググラントは、異なるペイロードで、および／または、ＰＤＣＣＨの異なるスクランブリングを伴って、送られうる。ＰＨＩＣＨは、複数のアップリンクキャリアで、データ送信のためのＡＣＫ情報を搬送しうる。
【００４３】
一例において、周波数の予約は、パフォーマンスを向上させるために使用されることができ、キャリア内帯域幅分割（intra-carrier bandwidth partitioning）とも呼ばれうる。ｅＮＢは、１つのダウンリンクキャリアを割り当てられ、別のｅＮＢに割り当てられたダウンリンクキャリアの一部を予約しうる。たとえば、ｅＮＢは、４つのサブバンドを持つ５ＭＨｚのキャリアを割り当てられうる。ｅＮＢは、別のｅＮＢに割り当てられたダウンリンクキャリアの１つ以上のサブバンドを予約しうる。ｅＮＢは、一般的な方法で、割り当てられたダウンリンクキャリアで、ＰＳＳ、ＳＳＳ、ＰＢＣＨおよび各セル用のセル特定基準信号（cell-specific reference signal）を送信しうる。ｅＮＢは、また、別のｅＮＢに予約されていない、割り当てられたダウンリンクキャリアの一部で、制御情報およびデータを送信しうる。ｅＮＢは、割り当てられたダウンリンクキャリアの、予約された部分では、送信することを回避しうるか、または、より低いパワーレベルで送信しうる。
【００４４】
周波数の予約は、ｅＮＢｓ間で、周波数リソースを動的に再割り当てするために使用されうる。周波数の予約は、必要なときに随時（when and as needed）、使用されうる。たとえば、別のｅＮＢのために予約するサブバンドの数は、他のｅＮＢによって送られるデータの量に依存しうる。サブバンドは、また、他のｅＮＢによって必要とされる限り、予約されうる。周波数の予約は、また、１キャリアよりも細かい精度（granularity）で、周波数リソースを割り当てるためにも使用されうる。
【００４５】
ｅＮＢは、種々のダウンリンクキャリアの状態を示すバー情報を同報しうる。一例において、ダウンリンクキャリアのバー情報は、そのキャリアが、ＵＥｓによる使用のために利用可能かどうかを示しうる。たとえば、各割り当てられたダウンリンクキャリアのバー情報が、キャリアが使用のために利用可能であることを示す場合もあるし、各割り当てられていないダウンリンクキャリアのバー情報が、キャリアが使用のために利用不可能であることを示す場合もある。ｅＮＢによって禁止されているダウンリンクキャリアを検出したＵＥは、（ｉ）ｅＮＢによって禁止されていない別のダウンリンクキャリアをサーチしうるか、または、（ｉｉ）そのダウンリンクキャリアで、別のｅＮＢを選択しうる。
【００４６】
別の例において、ダウンリンクキャリアのバー情報は、キャリアにアクセスすることを許可されたＵＥｓ、および／または、キャリアにアクセスすることを許可されていないＵＥｓを識別しうる。たとえば、割り当てられていないダウンリンクキャリアのバー情報は、第１のＵＥｓのセットがキャリアにアクセスすることを禁止し、第２のＵＥｓのセットがキャリアにアクセスすることを許可しうる。第１のＵＥｓのセットは、より低い送信パワーレベルで、割り当てられていないダウンリンクキャリアで、ｅＮＢと確実に通信することができなくなりうるので、（ｉ）ｅＮＢに割り当てられた別のダウンリンクキャリアを検索しうる、または、（ｉｉ）このダウンリンクキャリアが割り当てられた別のｅＮＢを選択しうる。第２のＵＥｓのセットは、より低い送信パワーレベルであっても、割り当てられていないダウンリンクキャリアで、ｅＮＢと確実に通信することができる。
【００４７】
ダウンリンクキャリアについて上述された、さまざまな例および特徴は、アップリンクキャリアにも使用されうる。一般的に、任意の数のアップリンクキャリアが、アップリンクに利用可能でありうる。アップリンクキャリアの数は、システム帯域幅、各アップリンクキャリアに望ましい、または、要求される帯域幅、等のさまざまなファクタに依存しうる。利用可能なアップリンクキャリアは、たとえば、ダウンリンクキャリアについて上述されたように、ｅＮＢｓに割り当てられうる。より高い（たとえば、最大の）送信パワーが、各割り当てられたアップリンクキャリアに使用され、より低い（または、ゼロの）送信パワーが、各割り当てられていないアップリンクキャリアに使用されうる。
【００４８】
所与のｅＮＢは、各割り当てられたアップリンクキャリアで、１つ以上のＵＥｓにサービスし、さらに、各割り当てられていないアップリンクキャリアで、０個以上のＵＥｓにサービスしうる。一例において、ＵＥは、ｅＮＢに、同一のキャリアで、データおよび制御情報を送信しうる。この例は、動作を簡潔にしうる。別の例において、ＵＥは、ｅＮＢへ、割り当てられた、または、割り当てられていないアップリンクキャリアでデータを送信し、割り当てられたアップリンクキャリアで制御情報を送信しうる。この例は、制御情報についての確実性を向上させ、それは、他のｅＮＢｓと通信する他のＵＥｓから、割り当てられたアップリンクキャリアへの、より少ない干渉を観測しうる。
【００４９】
一例において、周波数予約は、別のｅＮＢによる使用のために、ｅＮＢに割り当てられたアップリンクキャリアの一部を予約するのに使用されうる。周波数予約は、必要なときに随時（when and as needed）使用され、上述したように、バックホールを介して交換されるシグナリングによって引き起こされうる。
【００５０】
図５は、ｅＮＢによる通信の一例を示す。図５に示された例において、３つのダウンリンクキャリアＤ１、Ｄ２およびＤ３は、ダウンリンクで利用可能であり、３つのアップリンクキャリアＵ１、Ｕ２およびＵ３は、アップリンクで利用可能である。ｅＮＢは、ダウンリンクキャリアＤ２およびＤ３だけでなく、アップリンクキャリアＵ２およびＵ３をも割り当てられうる。
【００５１】
一例において、ｅＮＢは、ダウンリンクアンカーキャリアおよびアップリンクアンカーキャリアを持ちうる。ダウンリンクアンカーキャリアは、割り当てられたダウンリンクキャリアの１つ、たとえば、ダウンリンクキャリアＤ２でありうる。アップリンクアンカーキャリアは、割り当てられたアップリンクキャリアの１つ、たとえば、アップリンクキャリアＵ２でありうる。ダウンリンクアンカーキャリアは、全キャリアのダウンリンクおよびアップリンクでのデータ伝送をサポートするために、ｅＮＢからダウンリンク制御情報を搬送しうる。アップリンクアンカーキャリアは、全キャリアのダウンリンクおよびアップリンクでのデータ伝送をサポートするために、ＵＥｓからのアップリンク制御情報を搬送しうる。たとえば、ダウンリンク制御情報は、ダウンリンクのデータ伝送のためのダウンリンクグラント、アップリンクのデータ伝送のためのアップリンクグラント、アップリンクのデータ伝送のためのＡＣＫ情報、等を含みうる。アップリンク制御情報は、アップリンクのデータ伝送のためのリソース要求、ダウンリンクのデータ伝送のためのＣＱＩ情報、ダウンリンクのデータ伝送のためのＡＣＫ情報、等を含みうる。ｅＮＢは、たとえば、割り当てられていないダウンリンクキャリアについては、より低い送信パワー制限を条件として、ダウンリンクアンカーキャリアだけでなく他のダウンリンクキャリアでも、ＵＥｓにデータを送信しうる。ＵＥｓは、たとえば、割り当てられていないアップリンクキャリアについては、より低い送信パワー制限を条件として、アップリンクアンカーキャリアだけでなく他のアップリンクキャリアでも、ｅＮＢにデータを送信しうる。
【００５２】
別の態様において、局は、複数のキャリアの中から通信に好適なキャリアを選択するための自動設定を行いうる。局は、ＵＥまたはネットワークエンティティであってもよく、それは、基地局、ネットワークコントローラ等であってもよい。
【００５３】
一例において、局は、通信に利用可能な各キャリアについてのメトリックを決定しうる。メトリックは、受信信号品質、パスロス、信号強度、および／または、他のパラメータを含みうる。メトリックは、また、伝送エネルギーのメトリック、有効ジオメトリのメトリック（effective geometry metric）、予測データレートのメトリック、ユーティリティのメトリック、または、少なくとも１つのパラメータに基づいて計算された、ある他のメトリックをも含みうる。
【００５４】
局は、各キャリアについてのメトリックに基づいて、複数のキャリアの中から通信のためのキャリアを選択しうる。一例において、メトリックは、受信信号品質を含み、局は、通信用に、最も高い受信信号品質を持つキャリアを選択しうる。別の例において、メトリックはパスロスを含み、局は、通信用に、最も少ないパスロスを持つキャリアを選択しうる。さらに別の例において、メトリックは、負荷を含み、局は、通信用に、最も少ない負荷を持つキャリアを選択しうる。さらに別の例において、メトリックは、サービスの品質（quality-of-service：ＱｏＳ）および／またはデータレートに基づいて決定されたアクセス品質を含み、局は、通信用に、最も高いアクセス品質をもつキャリアを選択しうる。局は、他の方法でも、通信用のキャリアを選択しうる。
【００５５】
各キャリアについてのメトリックは、異なる方法で、たとえば、局がＵＥかネットワークエンティティかによって、得られうる情報に基づいて、決定されうる。一例において、各キャリアについてのメトリックは、無線での測定値に基づいて決定され、それは、受信信号品質、パスロス、等を決定するために使用されうる。別の例において、各キャリアについてのメトリックは、ＵＥｓによってネットワークエンティティに送られる報告に基づいて決定されうる。さらに別の例において、各キャリアについてのメトリックは、少なくとも１つの基地局からネットワークエンティティによって受信されるバックホール情報に基づいて、決定されうる。
【００５６】
アンカーキャリアは、上述したように、通信を容易にするために使用されうる。アンカーキャリアは、また、自己感度低下（self-desensitization）を軽減するためにも使用されうる。無線ネットワークが、ダウンリンクおよびアップリンクで多数のキャリアを使用する場合には、ＵＥでの自己感度低下が起こり、アップリンク送信に最も近接するダウンリンクキャリアは、ＵＥのデュプレクサの送信ポートと受信ポート間のアイソレーションが限られているため、干渉を被りうる。自己感度低下を軽減するために、アップリンクおよびダウンリンク制御は、互いから最も離れうるキャリアで送られうる。アップリンクおよびダウンリンク送信は、異なる無線技術によるものでありうる。
【００５７】
図６は、無線ネットワークにおける第１の基地局による通信プロセス６００の例を示す。第１の基地局は、第１の（たとえば、最大の）送信パワーレベルで、第１のキャリアで通信しうる（ブロック６１２）。第１の基地局は、第２の送信パワーレベルで、第２のキャリアで通信し、それは、第２のキャリアで通信する第２の基地局への干渉を低減するために、第１の送信パワーレベルよりも低くなりうる（ブロック６１４）。第１のキャリアは、第２のキャリアよりも、第２の基地局からの干渉がより少なくなりうる。
【００５８】
第１および第２の基地局は、異なるパワークラスに属しうるか、異なるアソシエーション／アクセスのタイプをサポートしうる。一例において、第１の基地局が、高いパワークラスに属しうる一方で、第２の基地局は、より低いパワークラスに属しうる。または、その逆も言える。別の例において、第１の基地局が、制限のないアクセスをサポートしうる一方で、第２の基地局は、制限されたアクセスをサポートしうる。または、その逆も言える。
【００５９】
一例において、第１および第２のキャリアは、ダウンリンク用でありうる。ブロック６１２において、第１の基地局は、第１のＵＥに、第１の送信パワーレベルで、第１のキャリアで、第１のデータ送信を送りうる。ブロック６１４において、第１の基地局は、第２のＵＥに、第２の送信パワーレベルで、第２のキャリアで、第２のデータ送信を送りうる。一例において、第１の基地局は、第１のキャリアで、第１および第２のＵＥｓに制御情報を送り、それは、ダウンリンクアンカーキャリアでありうる。別の例において、第１の基地局は、第１のキャリアで、第１のＵＥに、制御情報を送り、第２のキャリアで、第２のＵＥに、制御情報を送りうる。第１の基地局は、また、ＵＥｓが、第１の基地局を検出することを可能にさせるために、第１および第２のキャリアの各々で、少なくとも１つの同期信号を送りうる。
【００６０】
別の例において、第１および第２のキャリアは、アップリンク用でありうる。ブロック６１２において、第１の基地局は、第１の送信パワーレベルで、第１のキャリアで、第１のＵＥによって送られた、第１のデータ送信を受信しうる。ブロック６１４において、第１の基地局は、第２の送信パワーレベルで、第２のキャリアで、第２のＵＥによって送られた、第２のデータ送信を受信しうる。一例において、第１の基地局は、第１のキャリアで、第１および第２のＵＥｓから、制御情報を受信し、それは、アップリンクアンカーキャリアでありうる。別の例において、第１の基地局は、第１のキャリアで、第１のＵＥから、制御情報を受信し、第２のキャリアで、第２のＵＥから、制御情報を受信しうる。
【００６１】
一例において、第１および第２のキャリアは、静的（static）または半静的（semi-static）なスケジュールに基づいて、第１および第２の基地局に割り当てられうる。別の例において、第１の基地局は、各基地局による第１および／または第２のキャリアの使用を決定するために、第２の基地局またはネットワークエンティティと、シグナリングを交換しうる。たとえば、第１の基地局は、第２の基地局または無線ネットワークにとってのキャパシティの利点（capacity benefit）に基づいて、第２のキャリアでの送信パワーを低減するかどうかを決定しうる。
【００６２】
一例において、第１の基地局は、第２の基地局による使用のために、第１のキャリアの一部を予約しうる。第１の基地局は、通信用に、第１のキャリアの残りの一部を使用しうる。別の例において、第１の基地局は、第１の基地局用に第２の基地局によって予約された第２のキャリアの一部を決定しうる。そして、第１の基地局は、第１の送信パワーレベルで、第２のキャリアの予約された一部で、通信しうる。
【００６３】
一例において、第１の基地局は、第１のキャリアを介して基地局にアクセスし、第２のキャリアへのより少ない干渉を観測する少なくとも１つのＵＥを識別しうる。第１の基地局は、キャリアにわたって負荷を分散するために、第２のキャリアに、識別された（単数または複数の）ＵＥを仕向けることができる。
【００６４】
一例において、第１の基地局は、（ｉ）第１のキャリアが使用を禁止されていることを示すバー情報、および、（ｉｉ）第２のキャリアが使用を禁止されていることを示すバー情報を同報しうる。別の例において、第１の基地局は、第２のキャリアが、第１のＵＥｓのセットによる使用を禁止されており、第２のＵＥｓのセットによる使用は禁止されていないことを示すバー情報を同報しうる。第１の基地局は、また、第１および／または第２のキャリアについての他のバー情報を同報しうる。
【００６５】
一例において、第１の基地局は、（ｉ）第３の送信パワーレベルで、第３のキャリアで、および、（ｉｉ）第４のキャリアへの干渉を低減するために、第３の送信パワーレベルよりも低い第４の送信パワーレベルで、第４のキャリアで、通信しうる。第１および第２のキャリアは、あるリンク（たとえば、ダウンリンク）での通信のために使用され、第３および第４のキャリアは、他のリンク（たとえば、アップリンク）での通信のために使用されうる。
【００６６】
図７は、無線ネットワークで通信するための装置７００の例を示す。装置７００は、第１の基地局によって、第１の送信パワーレベルで、第１のキャリアで通信するためのモジュール７１２と、第１の基地局によって、第２の送信パワーレベルで、第２のキャリアで通信するためのモジュール７１４を含み、第２の送信パワーレベルは、第１の送信パワーレベルよりも低い。
【００６７】
図８は、無線ネットワークにおける第２の基地局による通信のためのプロセス８００の例を示す。第２の基地局は、通信に利用可能な複数のキャリアの中で、第１の基地局からの干渉がより少ないキャリアを決定しうる（ブロック８１２）。第２の基地局は、ＵＥｓからの無線での測定値、第１の基地局からのシグナリング、等に基づいて、複数のキャリアの各々への干渉を決定しうる。第２の基地局は、そのキャリアで通信しうる（ブロック８１４）。第１および第２の基地局は、異なるパワークラスに属しうるか、異なるアソシエーションのタイプをサポートしうる。
【００６８】
図９は、無線ネットワークで通信するための装置９００の例を示す。装置９００は、通信に利用可能な複数のキャリアの中で、第１の基地局からの干渉がより少ないキャリアを決定するためのモジュール９１２と、第２の基地局によってそのキャリアで通信するためのモジュール９１４を含み、第１および第２の基地局は、異なるパワークラスに属するか、異なるアソシエーションのタイプをサポートする。
【００６９】
図１０は、無線ネットワークにおけるＵＥによる通信のためのプロセス１０００の例を示す。ＵＥは、第１のキャリアでは第１の送信パワーレベルで、および、第２のキャリアでは第２の送信パワーレベルで、動作する第１の基地局を検出しうる（ブロック１０１２）。第２の送信パワーレベルは、第２のキャリアで動作する第２の基地局への干渉を低減するために、第１の送信パワーレベルよりも低くなりうる。第１および第２の基地局は、異なるパワークラスに属しうるか、異なるアソシエーションのタイプをサポートしうる。ＵＥは、第１のキャリアでは第１の送信パワーレベルで、および／または、第２のキャリアでは第２の送信パワーレベルで、第１の基地局と通信しうる（ブロック１０１４）。
【００７０】
ブロック１０１２の一例において、ＵＥは、第１の基地局を含む複数の基地局から、第１および／または第２のキャリアで、信号（たとえば、同期信号）を受信しうる。ＵＥは、受信された信号に基づいて、複数の基地局の中から、通信のために、第１の基地局を選択しうる。たとえば、ＵＥは、受信信号品質、パスロス、等に基づいて、第１の基地局を選択しうる。
【００７１】
ＵＥは、第１の基地局との通信のために、第１または第２のキャリアを選択しうる。一例において、ＵＥは、第１および第２のキャリアの各々の受信信号品質を決定しうる。ＵＥは、通信のために、より高い受信信号品質を持つ第１または第２のキャリアを選択しうる。別の例において、ＵＥは、第２のキャリアへの干渉が閾値を上回る場合に、第１のキャリアを選択しうる。ＵＥは、このキャリアへの干渉が閾値を下回る場合に、第２のキャリアを選択しうる。ＵＥは、また、他の方法によっても、第１または第２のキャリアを選択しうる。
【００７２】
ＵＥは、選択されたキャリアで、第１の基地局と通信しうる。一例において、ＵＥは、第１の基地局と、選択されたキャリアで、データおよび制御情報を交換（たとえば、受信または送出）しうる。別の例において、ＵＥは、第１の基地局から、第１のキャリアで制御情報を交換し、選択されたキャリアでデータを交換する。
【００７３】
図１１は、無線ネットワークでの通信のための装置１１００の例を示す。装置１１００は、第１のキャリアでは第１の送信パワーレベルで、第２のキャリアでは第１の送信パワーレベルよりも低い第２の送信パワーレベルで動作する第１の基地局を検出するためのモジュール１１１２と、第１のキャリアでは第１の送信パワーレベルで、および／または、第２のキャリアでは第２の送信パワーレベルで、第１の基地局と通信するためのモジュール１１１４を含む。
【００７４】
図１２は、少なくとも１つのキャリアでの通信のためのプロセス１２００の例を示し、制御情報は、その少なくとも１つのキャリアとは異なる、指定されたキャリアで送られる。プロセス１２００は、局によって行われ、それは、基地局、ＵＥ、または、ある他のエンティティでありうる。局は、少なくとも１つのキャリアで通信しうる（ブロック１２１２）。局は、その少なくとも１つのキャリアでの通信のために、第１のキャリアで制御情報を交換しうる（ブロック１２１４）。第１のキャリアは、その少なくとも１つのキャリアとは異なりうる。制御情報は、その少なくとも１つのキャリアでのデータ伝送のための、スケジューリンググラント、ＣＱＩ情報、ＡＣＫ情報、および／または、他の情報を含みうる。
【００７５】
局は、基地局であってもよい。一例において、少なくとも１つのキャリアと第１のキャリアは、ダウンリンク用でありうる。基地局は、少なくとも１つのキャリアで、少なくとも１つのＵＥに、少なくとも１つのデータ送信を送り、第１のキャリアで、少なくとも１つのＵＥに、制御情報（たとえば、スケジューリンググラント、等）を送りうる。別の例において、少なくとも１つのキャリアと第１のキャリアは、アップリンク用でありうる。基地局は、少なくとも１つのキャリアで、少なくとも１つのＵＥから、少なくとも１つのデータ送信を受信し、第１のキャリアで、少なくとも１つのＵＥから、制御情報（たとえば、リソース要求、ＡＣＫ情報、等）を受信しうる。
【００７６】
局は、ＵＥであってもよい。一例において、少なくとも１つのキャリアと第１のキャリアは、ダウンリンク用でありうる。ＵＥは、少なくとも１つのキャリアで、基地局から、データ送信を受信し、第１のキャリアで、基地局から、制御情報（たとえば、スケジューリンググラント、等）を受信しうる。別の例において、少なくとも１つのキャリアと第１のキャリアは、アップリンク用でありうる。ＵＥは、少なくとも１のキャリアのうちの少なくとも１つで、基地局にデータ送信を送り、第１のキャリアで、基地局に制御情報（たとえば、リソース要求、ＡＣＫ情報、等）を送りうる。
【００７７】
図１３は、無線ネットワークでの通信のための装置１３００の例を示す。装置１３００は、少なくとも１つのキャリアで通信するためのモジュール１３１２と、少なくとも１つのキャリアでの通信のために、第１のキャリアで、制御情報を交換するためのモジュール１３１４を含み、第１のキャリアは、少なくとも１つのキャリアとは異なる。
【００７８】
図１４は、自動設定を伴うキャリアでの通信のためのプロセス１４００の例を示す。プロセス１４００は、局によって行われ、それは、ＵＥまたはネットワークエンティティでありうる。ネットワークエンティティは、基地局、ネットワークコントローラ、または、ある他のエンティティでありうる。局は、通信に利用可能な複数のキャリアの各々についてのメトリックを決定しうる（ブロック１４１２）。メトリックは、信号強度以外の少なくとも１つのパラメータ、たとえば、受信信号品質、パスロス、等を含みうる。局は、たとえば、前述したように、各キャリアについてのメトリックに基づいて、複数のキャリアの中から、通信用のキャリアを選択しうる（ブロック１４１４）。局は、選択されたキャリアで通信しうる（ブロック１４１６）。一例では、データも制御情報も、選択されたキャリアを介して、交換（たとえば、送出または受信）されうる。別の例において、制御情報は、選択されたキャリアを介して交換され、データは、選択されたキャリアおよび／またはアンカーキャリアを介して、交換されうる。選択されたキャリアは、局のためのアンカーキャリアとして指定されてもよく、アンカーキャリアについて前述された属性を持ちうる。
【００７９】
図１５は、無線ネットワークでの通信のための装置１５００の例を示す。装置１５００は、通信に利用可能な複数のキャリアの各々についてのメトリックを決定するためのモジュール１５１２を含み、メトリックは、信号強度以外の少なくとも１つのパラメータを含み、各キャリアについてのメトリックに基づいて、複数のキャリアの中から通信用のキャリアを選択するためのモジュール１５１４と、選択されたキャリアで通信するためのモジュール１５１６を含む。
【００８０】
図１６は、無線ネットワークにおいて基地局によってバー情報を同報するためのプロセス１６００の例を示す。基地局は、少なくとも１つのキャリアについてのバー情報を決定しうる（ブロック１６１２）。各キャリアについてのバー情報は、キャリアが使用を禁止されているかどうかを示しうる。基地局は、ＵＥｓにバー情報を同報し、それらは、基地局へのアクセスを決定するためにバー情報を使用しうる（ブロック１６１４）。
【００８１】
一例において、少なくとも１つのキャリアは、第１および第２のキャリアを含みうる。第１のキャリアのためのバー情報は、第１のキャリアが禁止されていることを示し、第２のキャリアのためのバー情報は、第２のキャリアが禁止されていないことを示しうる。たとえば、基地局は、第２のキャリアでは最大の送信パワーを、第１のキャリアではより低い送信パワーレベルを、使用可能でありうる。バー情報は、ＵＥｓが、第２のキャリアを介して基地局にアクセスするように、仕向けるために使用されうる。そして、適切な場合には、基地局は、第１のキャリアに、１つ以上のＵＥｓを再び仕向けうる。
【００８２】
別の例において、所与のキャリアについてのバー情報は、そのキャリアが、第１のＵＥｓのセットには禁止されておらず、第２のＵＥｓのセットには禁止されていることを示しうる。たとえば、基地局が、そのキャリアで、より低い伝送パワーレベルを使用可能な場合がある。第１のＵＥｓのセットは、より低い伝送パワーレベルで、十分なパフォーマンスを達成可能なＵＥｓでありうる。第２のＵＥｓのセットは、十分なパフォーマンスを達成するためには、より高い伝送パワーレベルを必要とするＵＥｓでありうる。別の例として、第１のＵＥｓのセットは、複数のキャリアで動作可能でありうる。これらのＵＥｓは、そのキャリアでは、より低い伝送パワーレベルでデータを受信し、別のキャリアでは、より高い伝送パワーレベルで制御情報を受信しうる。各キャリアのためのバー情報は、そのキャリアでの通信およびアクセスを制御するために使用されうる他の情報も、また含みうる。
【００８３】
図１７は、無線ネットワークでの通信のための装置１７００の例を示す。装置１７００は、少なくとも１つのキャリアのためのバー情報を決定するためのモジュール１７１２を含み、各キャリアについてのバー情報はそのキャリアが使用を禁止されているかどうかを示し、ＵＥｓにバー情報を同報するためのモジュール１７１４を含む。
【００８４】
図７、９、１１、１３、１５および１７のモジュールは、プロセッサ、エレクトロニクス・デバイス、ハードウェア・デバイス、エレクトロニクス・コンポーネント、論理回路、メモリ、ソフトウェア・コード、ファームウェア・コード等、または、それらの任意の組合せを含みうる。
【００８５】
わかりやすくするために、図６から図１７のほとんどは、２つのキャリアで説明されている。一般的に、この技術は、類似の方法で、任意の数のキャリアに適用されうる。
【００８６】
図１８は、基地局／ｅＮＢ１１０およびＵＥ１２０の一例のブロック図を示し、それらは、図１の基地局／ｅＮＢｓのうちの１つ、および、ＵＥｓのうちの１つでありうる。基地局１１０は、１８３４ａから１８３４ｔまでのＴ個のアンテナを装備し、ＵＥ１２０は、１８５２ａから１８５２ｒまでのＲ個のアンテナを装備し、一般的にＴ≧１およびＲ≧１である。
【００８７】
基地局１１０では、送信プロセッサ１８２０が、データソース１８１２からデータを、コントローラ／プロセッサ１８４０から制御情報を、受信しうる。プロセッサ１８２０は、データおよび制御情報を処理（たとえば、符号化およびシンボルマップ）して、データシンボルおよび制御シンボルを、それぞれ得ることができる。さらに、プロセッサ１８２０は、たとえば、同期信号と基準信号のために、基準シンボルを生成しうる。送信（ＴＸ）マルチ入力マルチ出力（ＭＩＭＯ）プロセッサ１８３０は、データシンボル、制御シンボル、および／または、該当する場合には、基準シンボルに、空間的な処理（たとえば、プリコーディング）を行い、１８３２ａから１８３２ｔまでのＴ個の変調器（ＭＯＤｓ）に、Ｔ個の出力シンボルストリームを供給しうる。各変調器１８３２は、（たとえば、ＯＦＤＭ用の）各出力シンボルストリームを処理して、出力サンプルストリームを得ることができる。各変調器１８３２は、さらに、出力サンプルストリームを処理（たとえば、アナログコンバート、増幅、フィルタ、および、アップコンバート）して、ダウンリンク信号を得ることができる。１８３２ａから１８３２ｔからまでの変調器のＴ個ダウンリンク信号は、１８３４ａから１８３４ｔまでのＴ個のアンテナを介して、それぞれ送信されうる。
【００８８】
ＵＥ１２０において、１８５２ａから１８５２ｒまでのアンテナは、基地局１１０からダウンリンク信号を受信し、１８５４ａから１８５４ｒまでの復調器（ＤＥＭＯＤｓ）に、それぞれ、受信された信号を供給しうる。各復調器１８５４は、それぞれの受信された信号を調整（たとえば、フィルタ、増幅、ダウンコンバート、および、デジタル化）して、入力サンプルを得ることができる。各復調器１８５４は、さらに、（たとえば、ＯＦＤＭ用の）入力サンプルを処理して、受信されたシンボルを得ることができる。ＭＩＭＯ検出器１８５６は、１８５４ａから１８５４ｒまでの全Ｒ個の復調器より受信されたシンボルを得て、該当する場合には、受信されたシンボルにＭＩＭＯ検出を行い、検出されたシンボルを供給しうる。受信プロセッサ１８５８は、検出されたシンボルを処理（たとえば、復調、デインターリーブ、および、復号）し、データシンク１８６０に、ＵＥ１２０のための復号されたデータを供給し、コントローラ／プロセッサ１８８０に、復号された制御情報を供給しうる。
【００８９】
アップリンクでは、ＵＥ１２０において、送信プロセッサ１８６４は、データソース１８６２からのデータと、コントローラ／プロセッサ１８８０からの制御情報を、受信および処理しうる。プロセッサ１８６４は、また、基準信号のために基準シンボルを生成しうる。送信プロセッサ１８６４からのシンボルは、該当する場合には、ＴＸ ＭＩＭＯプロセッサ１８６６によってプリコードされ、さらに、（たとえば、ＳＣ−ＦＤＭ用に）１８５４ａから１８５４ｒまでの変調器によって処理され、基地局１１０に送信されうる。基地局１１０において、ＵＥ１２０からのアップリンク信号は、アンテナ１８３４によって受信され、復調器１８３２によって処理され、該当する場合にはＭＩＭＯ検出器１８３６によって検出され、さらに、受信プロセッサ１８３８によって処理され、ＵＥ１２０によって送られた、復号されたデータおよび制御情報を得ることができる。プロセッサ１８３８は、データシンク１８３９に、復号されたデータを、コントローラ／プロセッサ１８４０に、復号された制御情報を供給しうる。
【００９０】
コントローラ／プロセッサ１８４０および１８８０は、それぞれ、基地局１１０およびＵＥ１２０での動作を指示しうる。プロセッサ１８４０、および／または、基地局１１０の他のプロセッサおよびモジュールは、図６のプロセス６００、図８のプロセス８００、図１２のプロセス１２００、図１４のプロセス１４００、図１６のプロセス１６００、および／または、ここに説明された技術のための他のプロセスを、実行または指示しうる。プロセッサ１８８０、および／または、ＵＥ１２０の他のプロセッサおよびモジュールは、図１０のプロセス１０００、図１２のプロセス１２００、図１４のプロセス１４００、および／または、ここに説明された技術のための他のプロセスを、実行または指示しうる。メモリ１８４２および１８８２は、それぞれ、基地局１１０およびＵＥ１２０のためのデータおよびプログラムコードを記憶しうる。スケジューラ１８４４は、ダウンリンクおよび／またはアップリンクでのデータ送信のために、ＵＥｓをスケジュールしうる。
【００９１】
当業者は、情報および信号が、任意のさまざまな異なるテクノロジーおよび技術を使用して表されうることを、理解するであろう。たとえば、先の説明を通じて言及されうるデータ、命令、コマンド、情報、信号、ビット、シンボル、およびチップは、電圧、電流、電磁波、磁場または磁性粒子、光場または光粒子、またはそれらの任意の組合せによって表されうる。
【００９２】
当業者は、さらに、ここでの開示に関連して説明されているさまざまな例示的な論理ブロック、モジュール、回路、およびアルゴリズムのステップが、電子ハードウェア、コンピュータソフトウェア、または両者の組合せとして実施されうることを、理解するであろう。ハードウェアとソフトウェアのこの相互互換性をわかりやすく説明するために、さまざまな例示的なコンポーネント、ブロック、モジュール、回路およびステップが、概してそれらの機能性の点で、先に説明されている。そのような機能性がハードウェアまたはソフトウェアとして実施されるかどうかは、システム全体に課された特定の用途および設計の制約による。当業者は、各特定用途のために、さまざまな方法で、説明されている機能性を実施しうるが、そのような実施による解決は、本開示の範囲からの逸脱をもたらすものとして解釈されるべきではない。
【００９３】
ここでの開示に関連して説明された、さまざまな例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、または、他のプログラマブル論理デバイス、離散ゲート、または、トランジスタ論理、離散ハードウェアコンポーネント、または、ここに説明された機能を行うように設計された、それらの任意の組合せによって、実施または実行されうる。汎用プロセッサは、マイクロプロセッサでありうるが、代替として、プロセッサは、任意の従来型のプロセッサ、コントローラ、マイクロコントローラ、または、ステートマシンであってもよい。プロセッサは、コンピュータデバイスの組合せ、たとえば、ＤＳＰとマイクロプロセッサ、複数のマイクロプロセッサ、ＤＳＰコアと結合される１つ以上のマイクロプロセッサの組合せ、または、任意の他のそのような構成としても実施されうる。
【００９４】
ここに、本開示に関連して説明された方法のステップまたはアルゴリズムは、ハードウェアで直接的に、プロセッサによって実行されるソフトウェアモジュールで、または、それら２つの組合せで、具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または、当該技術で周知の任意の他の形態の記憶媒体の中に存在しうる。例示的な記憶媒体は、プロセッサが、記憶媒体から情報を読み、記憶媒体に情報を書くことができるように、プロセッサに接続される。代替として、記憶媒体は、プロセッサに組み込まれうる。プロセッサおよび記憶媒体はＡＳＩＣの中に存在しうる。ＡＳＩＣは、ユーザ端末の中に存在しうる。代替として、プロセッサと記憶媒体は、ユーザ端末の中の離散コンポーネントとして、存在しうる。
【００９５】
１つ以上の例示的な例において、説明された機能は、ハードウェア、ソフトウェア、ファームウェア、または、それらの任意の組合せで実施されうる。ソフトウェアで実施される場合、機能は、１つ以上の命令またはコードとして、コンピュータ可読媒体に記憶されるか、コンピュータ可読媒体によって伝送されうる。コンピュータ可読媒体は、コンピュータ記憶媒体と、ある場所から別へのコンピュータプログラムの転送を容易にする任意の媒体を含む通信媒体の両方を含む。記憶媒体は、汎用または専用コンピュータによってアクセス可能な任意の利用可能な媒体であってもよい。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または、命令またはデータ構造の形態で、所望のプログラムコード手段を搬送または記憶するのに使用可能であり、汎用または専用のコンピュータ、または、汎用または専用プロセッサによってアクセス可能な任意の他の媒体を含みうる。さらに、いずれの接続も、当然のことながら、コンピュータ可読媒体と呼ばれる。たとえば、ソフトウェアが、ウェブサイト、サーバ、または、同軸ケーブル、光ファイバケーブル、ツイストペア、デジタル加入者回線（ＤＳＬ）を使用する他のリモートソース、または、赤外線、無線、および、マイクロ波といった無線技術によって伝送される場合、同軸ケーブル、光ファイバケーブル、ツイストペア、ＤＳＬ、または、赤外線、無線、および、マイクロ波といった無線技術は、媒体の定義に含まれる。ディスク（disk）およびディスク（disc）は、ここに使用されているように、コンパクトディスク（disc）（ＣＤ）、レーザー（登録商標）ディスク（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は普通、データを磁気的に再生するが、ディスク（disc）はレーザーで光学的にデータを再生する。上記の組合せも、また、コンピュータ可読媒体の範囲内に含まれるべきである。
【００９６】
本開示の先の説明は、本開示を製造または使用することを、いずれの当業者にも可能にさせるように提供されている。本開示へのさまざまな変更は、当業者によって容易に理解されるであろうし、ここに定義されている一般的な原理は、本開示の精神または範囲から逸脱することなく、他のバリエーションに適用されうる。このように、本開示は、ここに説明されている例および設計に限定されるものではなく、ここに開示されている原理および新規な特徴に一致する、最も広い範囲が与えられるべきものと意図される。
以下に、本願出願の当初の特許請求の範囲に記載された発明を付記する。
［１］第１の基地局によって、第１の送信パワーレベルで、第１のキャリアで通信することと、
前記第１の基地局によって、第２の送信パワーレベルで、第２のキャリアで通信することであって、前記第２の送信パワーレベルは、前記第２のキャリアで通信する第２の基地局への干渉を低減するために、前記第１の送信パワーレベルよりも低く、前記第１および第２の基地局は、異なるパワークラスに属するか、異なるアソシエーションタイプをサポートする、こと
とを含む、無線通信ネットワークにおける通信方法。
［２］前記第１のキャリアは、第１のパワークラスの前記第１の基地局に割り当てられ、前記第２のキャリアは、前記第１のパワークラスとは異なる第２のパワークラスの前記第２の基地局に割り当てられている、［１］に記載の方法。
［３］前記第１のキャリアは、制限のないアクセスの前記第１の基地局に割り当てられ、前記第２のキャリアは、制限されたアクセスの前記第２の基地局に割り当てられている、［１］に記載の方法。
［４］前記第１および第２のキャリアがダウンリンク用であり、前記第１のキャリアで通信することは、第１のユーザ機器（ＵＥ）に、前記第１の送信パワーレベルで、前記第１のキャリアで、第１のデータ送信を送ることを含み、前記第２のキャリアで通信することは、第２のＵＥに、前記第２の送信パワーレベルで、前記第２のキャリアで、第２のデータ送信を送ることを含む、［１］に記載の方法。
［５］前記第１のキャリアで通信することは、前記第１のキャリアで、前記第１および第２のＵＥに、制御情報を送ることをさらに含む、［４］に記載の方法。
［６］前記第１および第２のキャリアがアップリンク用であり、前記第１のキャリアで通信することが、前記第１の送信パワーレベルで、前記第１のキャリアで、第１のユーザ機器（ＵＥ）によって送られる第１のデータ送信を受信することを含み、前記第２のキャリアで通信することが、前記第２の送信パワーレベルで、前記第２のキャリアで、第２のＵＥによって送られる第２のデータ送信を受信することを含む、［１］に記載の方法。
［７］前記第１のキャリアで通信することは、前記第１のキャリアで、前記第１のＵＥから、制御情報を受信することをさらに含み、前記第２のキャリアで通信することは、前記第２のキャリアで、前記第２のＵＥから制御情報を受信することをさらに含む、［６］に記載の方法。
［８］前記第２の基地局による通信のために、前記第２のキャリアの使用を決定するために、前記第２の基地局とシグナリングを交換すること
をさらに含む、［１］に記載の方法。
［９］前記第２の基地局による使用のために、前記第１のキャリアの一部を予約することと、
前記第１の基地局による通信のために、前記第１のキャリアの残りの一部を使用すること
とをさらに含む、［１］に記載の方法。
［１０］前記第１の基地局のために、前記第２の基地局によって予約された前記第２のキャリアの一部を決定することと、
前記第１の基地局によって、前記第１の送信パワーレベルで、前記第２のキャリアの前記予約された一部で通信すること
とをさらに含む、［１］に記載の方法。
［１１］前記第１の基地局によって、前記第１および第２のキャリアのそれぞれで、少なくとも１つの同期信号を送ること
をさらに含む、［１］に記載の方法。
［１２］前記第１の基地局によって、第３の送信パワーレベルで、第３のキャリアで通信することと、
前記第１の基地局によって、第４の送信パワーレベルで、第４のキャリアで通信することであって、前記第４の送信パワーレベルは、前記第４のキャリアでの干渉を低減するために、前記第３の送信パワーレベルよりも低く、前記第１および第２のキャリアは、ダウンリンクでの通信のために使用され、前記第３および第４のキャリアは、アップリンクでの通信のために使用される、こと
とをさらに含む、［１］に記載の方法。
［１３］前記第２の基地局または前記無線ネットワークにとっての、キャパシティの利点に基づいて、前記第２のキャリアでの送信パワーを低減するかどうかを決定すること
をさらに含む、［１］に記載の方法。
［１４］前記第１のキャリアが使用を禁止されていないことを示す情報を同報することと、
前記第２のキャリアが使用を禁止されていることを示す情報を同報すること
とをさらに含む、［１］に記載の方法。
［１５］前記第１のキャリアを介して前記第１の基地局にアクセスする少なくとも１つのユーザ機器（ＵＥ）を識別することと、
前記第１のキャリアから前記第２のキャリアに、前記少なくとも１つのＵＥを割り振ること
とをさらに含む、［１］に記載の方法。
［１６］第１の基地局によって、第１の送信パワーレベルで、第１のキャリアで通信するための手段と、
前記第１の基地局によって、第２の送信パワーレベルで、第２のキャリアで通信するための手段であって、前記第２の送信パワーレベルは、前記第２のキャリアで通信する第２の基地局への干渉を低減するために、前記第１の送信パワーレベルよりも低く、前記第１および第２の基地局は、異なるパワークラスに属するか、異なるアソシエーションのタイプをサポートする、手段
とを含む、無線通信のための装置。
［１７］前記第１および第２のキャリアは、ダウンリンク用であり、前記第１のキャリアで通信するための手段は、第１のユーザ機器（ＵＥ）に、前記第１の送信パワーレベルで、前記第１のキャリアで、第１のデータ送信を送るための手段を含み、前記第２のキャリアで通信するための手段は、第２のＵＥに、前記第２の送信パワーレベルで、前記第２のキャリアで、第２のデータ送信を送るための手段を含む、［１６］に記載の装置。
［１８］前記第２の基地局による使用のために、前記第１のキャリアの一部を予約するための手段と、
前記第１の基地局による通信のために、前記第１のキャリアの残りの一部を使用するための手段
とをさらに含む、［１６］に記載の装置。
［１９］第１の基地局によって、第１の送信パワーレベルで、第１のキャリアで通信し、かつ、前記第１の基地局によって、第２の送信パワーレベルで、第２のキャリアで通信するように構成され、前記第２の送信パワーレベルは、前記第２のキャリアで通信する第２の基地局への干渉を低減するために、前記第１の送信パワーレベルよりも低く、前記第１および第２の基地局は、異なるパワークラスに属するか、異なるアソシエーションのタイプをサポートする、少なくとも１つのプロセッサ
を含む、無線通信のための装置。
［２０］前記第１および第２のキャリアは、ダウンリンク用であり、前記少なくとも１つのプロセッサは、第１のユーザ機器（ＵＥ）に、前記第１の送信パワーレベルで、前記第１のキャリアで、第１のデータ送信を送り、かつ、第２のＵＥに、前記第２の送信パワーレベルで、前記第２のキャリアで、第２のデータ送信を送るように構成されている、［１９］に記載の装置。
［２１］前記少なくとも１つのプロセッサは、前記第２の基地局による使用のために、前記第１のキャリアの一部を予約し、かつ、前記第１の基地局による通信のために、前記第１のキャリアの残りの一部を使用するように構成されている、［１９］に記載の装置。
［２２］第１の基地局によって、第１の送信パワーレベルで、第１のキャリアで、通信するように、少なくとも１つのコンピュータにさせるためのコードと、
前記第１の基地局によって、第２の送信パワーレベルで、第２のキャリアで、通信するように、前記少なくとも１つのコンピュータにさせるためのコードであって、前記第２の送信パワーレベルは、前記第２のキャリアで通信する第２の基地局への干渉を低減するために、前記第１の送信パワーレベルよりも低く、前記第１および第２の基地局は、異なるパワークラスに属するか、異なるアソシエーションのタイプをサポートする、コード
とを含む、コンピュータ可読媒体
を含む、コンピュータプログラム製品。
［２３］通信に利用可能な複数のキャリアの中で、第１の基地局からの干渉がより少ないキャリアを決定することと、
第２の基地局によって、前記キャリアで通信することであって、前記第１および第２の基地局は、異なるパワークラスに属するか、異なるアソシエーションのタイプをサポートする、こと
とを含む、無線通信ネットワークで通信する方法。
［２４］前記第１の基地局は、高いパワークラスに属し、前記第２の基地局は、より低いパワークラスに属する、［２３］に記載の方法。
［２５］前記第１の基地局は、制限のないアクセスをサポートし、前記第２の基地局は、制限されたアクセスをサポートする、［２３］に記載の方法。
［２６］無線での測定値に基づいて、前記複数のキャリアの各々での干渉を決定すること
をさらに含む、［２３］に記載の方法。
［２７］前記第１の基地局からのシグナリングに基づいて、前記複数のキャリアの各々での干渉を決定すること
をさらに含む、［２３］に記載の方法。
［２８］通信に利用可能な複数のキャリアの中で、第１の基地局からの干渉がより少ないキャリアを決定するための手段と、
第２の基地局によって、前記キャリアで通信するための手段であって、前記第１および第２の基地局は、異なるパワークラスに属するか、異なるアソシエーションのタイプをサポートする、手段
とを含む、無線通信のための装置。
［２９］第１の送信パワーレベルで、第１のキャリアで、および、第２の送信パワーレベルで、第２のキャリアで、動作する第１の基地局を検出することであって、前記第２の送信パワーレベルは、前記第２のキャリアで動作する第２の基地局への干渉を低減するために、前記第１の送信パワーレベルよりも低く、前記第１および第２の基地局は、異なるパワークラスに属するか、異なるアソシエーションのタイプをサポートする、ことと、
前記第１の送信パワーレベルで、前記第１のキャリアで、または、前記第２の送信パワーレベルで、前記第２のキャリアで、または、その両方で、前記第１の基地局と通信すること
とを含む、無線通信ネットワークで通信する方法。
［３０］前記第１の基地局と通信することは、
前記第１および第２のキャリアの各々の受信信号品質を決定することと、
より高い受信信号品質を有する前記第１または第２のキャリアを選択することと、
前記選択されたキャリアで、前記第１の基地局と通信すること
とを含む、［２９］に記載の方法。
［３１］前記第１の基地局と通信することは、
前記第２のキャリアでの干渉が、閾値を上回る場合に、前記第１のキャリアを選択することと、
前記第２のキャリアでの干渉が、閾値を下回る場合に、前記第２のキャリアを選択することと、
前記選択されたキャリアで、前記第１の基地局と通信すること
とを含む、［２９］に記載の方法。
［３２］前記第１の基地局と通信することは、
通信のために、前記第１または第２のキャリアを選択することと、
前記第１の基地局と、前記選択されたキャリアで、制御情報を交換することと、
前記第１の基地局と、前記選択されたキャリアで、データを交換すること
とを含む、［２９］に記載の方法。
［３３］前記第１の基地局と通信することは、
前記第１の基地局と、前記第１のキャリアで、制御情報を交換することと、
前記第１の基地局と、前記第２のキャリアで、データを交換すること
とを含む、［２９］に記載の方法。
［３４］前記第１の基地局を検出することは、
前記第１の基地局を含む複数の基地局から、前記第１または第２のキャリアで、信号を受信することと、
前記受信された信号に基づいて、前記複数の基地局の中から、通信のために、前記第１の基地局を選択すること
とを含む、［２９］に記載の方法。
［３５］第１のキャリアで、第１の送信パワーレベルで、および、第２のキャリアで、第２の送信パワーレベルで、動作する第１の基地局を検出するための手段であって、前記第２の送信パワーレベルは、前記第２のキャリアで動作する第２の基地局への干渉を低減するために、前記第１の送信パワーレベルよりも低く、前記第１および第２の基地局は、異なるパワークラスに属するか、異なるアソシエーションのタイプをサポートする、手段と、
前記第１のキャリアで、前記第１の送信パワーレベルで、または、前記第２のキャリアで、前記第２の送信パワーレベルで、または、両方で、前記第１の基地局と通信するための手段
とを含む、無線通信のための装置。
［３６］前記第１の基地局と通信するための手段は、
通信のために、前記第１または第２のキャリアを選択するための手段と、
前記第１の基地局と、前記選択されたキャリアで、制御情報を交換するための手段と、
前記第１の基地局と、前記選択されたキャリアで、データを交換するための手段
とを含む、［３５］に記載の装置。
［３７］前記第１の基地局と通信するための手段は、
前記第１の基地局と、前記第１のキャリアで、制御情報を交換するための手段と、
前記第１の基地局と、前記第２のキャリアで、データを交換するための手段
とを含む、［３５］に記載の装置。
［３８］少なくとも１つのキャリアで通信することと、
前記少なくとも１つのキャリアでの通信のために、第１のキャリアで制御情報を交換することであって、前記第１のキャリアは、前記少なくとも１つのキャリアとは異なる、こと
とを含む、無線通信ネットワークで通信する方法。
［３９］前記制御情報は、前記少なくとも１つのキャリアでのデータ伝送のための、スケジューリンググラント、チャネル品質インジケータ（ＣＱＩ）情報、確認応答（ＡＣＫ）情報、または、それらの組合せを含む、［３８］に記載の方法。
［４０］前記少なくとも１つのキャリアと前記第１のキャリアは、ダウンリンク用であり、前記少なくとも１つのキャリアで通信することは、前記少なくとも１つのキャリアで、少なくとも１つのユーザ機器（ＵＥ）に、少なくとも１つのデータ送信を送ることを含み、前記第１のキャリアで制御情報を交換することは、前記少なくとも１つのキャリアでの前記少なくとも１つのデータ送信のために、前記第１のキャリアで、前記少なくとも１つのＵＥに、制御情報を送ることを含む、［３８］に記載の方法。
［４１］前記少なくとも１つのキャリアと前記第１のキャリアは、アップリンク用であり、前記少なくとも１つのキャリアで通信することは、前記少なくとも１つのキャリアで、少なくとも１つのユーザ機器（ＵＥ）から、少なくとも１つのデータ送信を受信することを含み、前記第１のキャリアで制御情報を交換することは、前記少なくとも１つのキャリアでの前記少なくとも１つのデータ送信のために、前記第１のキャリアで、前記少なくとも１つのＵＥから、制御情報を受信することを含む、［３８］に記載の方法。
［４２］前記少なくとも１つのキャリアと前記第１のキャリアは、ダウンリンク用であり、前記少なくとも１つのキャリアで通信することは、前記少なくとも１つのキャリアで、基地局から、データ送信を受信することを含み、前記第１のキャリアで制御情報を交換することは、前記少なくとも１つのサブキャリアでの前記データ送信のために、前記第１のキャリアで、前記基地局から、制御情報を受信することを含む、［３８］に記載の方法。
［４３］前記少なくとも１つのキャリアと前記第１のキャリアは、アップリンク用であり、前記少なくとも１つのキャリアで通信することは、前記少なくとも１つのキャリアで、基地局に、データ送信を送ることを含み、前記第１のキャリアで制御情報を交換することは、前記少なくとも１つのサブキャリアでの前記データ送信のために、前記第１のキャリアで、前記基地局に制御情報を送ることを含む、［３８］に記載の方法。
［４４］少なくとも１つのキャリアで通信するための手段と、
前記少なくとも１つのキャリアでの通信のために、第１のキャリアで、制御情報を交換するための手段であって、前記第１のキャリアは、前記少なくとも１つのキャリアと異なる、手段
とを含む、無線通信のための装置。
［４５］前記少なくとも１つのキャリアと前記第１のキャリアは、ダウンリンク用であり、前記少なくとも１つのキャリアで通信するための手段は、前記少なくとも１つのキャリアで、少なくとも１つのユーザ機器（ＵＥ）に、少なくとも１つのデータ送信を送るための手段を含み、前記第１のキャリアで制御情報を交換するための手段は、前記少なくとも１つのキャリアでの前記少なくとも１つのデータ送信のために、前記第１のキャリアで、前記少なくとも１つのＵＥに、制御情報を送るための手段を含む、［４４］に記載の装置。
［４６］前記少なくとも１つのキャリアと前記第１のキャリアは、アップリンク用であり、前記少なくとも１つのキャリアで通信するための手段は、前記少なくとも１つのキャリアで、少なくとも１つのユーザ機器（ＵＥ）から、少なくとも１つのデータ送信を受信するための手段を含み、前記第１のキャリアで制御情報を交換するための手段は、前記少なくとも１つのキャリアでの前記少なくとも１つのデータ送信のために、前記第１のキャリアで、前記少なくとも１つのＵＥから、制御情報を受信するための手段を含む、［４４］に記載の装置。
［４７］通信に利用可能な複数のキャリアの各々についてのメトリックを決定することであって、前記メトリックは、信号強度以外の少なくとも１つのパラメータを含む、ことと、
各キャリアについての前記メトリックに基づいて、前記複数のキャリアの中から、通信用のキャリアを選択することと、
前記選択されたキャリアで通信すること
とを含む、無線通信ネットワークで通信する方法。
［４８］前記メトリックは、受信信号品質を含み、前記通信用のキャリアを選択することは、通信用に、最も高い受信信号品質を持つキャリアを選択することを含む、［４７］に記載の方法。
［４９］前記メトリックは、パスロスを含み、前記通信用のキャリアを選択することは、通信用に、最も少ないパスロスを持つキャリアを選択することを含む、［４７］に記載の方法。
［５０］前記メトリックは、負荷を含み、前記通信用のキャリアを選択することは、通信用に、最も少ない負荷を持つキャリアを選択することを含む、［４７］に記載の方法。
［５１］前記メトリックは、サービスの品質（ＱｏＳ）またはデータレート、または、両方に基づいて決定された、アクセス品質を含み、前記通信用のキャリアを選択することは、通信用に、最も高いアクセス品質を持つキャリアを選択することを含む、［４７］に記載の方法。
［５２］前記選択されたキャリアで通信することは、
前記基地局のために、アンカーキャリアとして、前記選択されたキャリアを指定することと、
前記選択されたキャリアを介して、前記基地局によって、制御情報を交換すること
とを含む、［４７］に記載の方法。
［５３］前記メトリックを決定すること、前記通信用のキャリアを選択すること、および、前記選択されたキャリアで通信することは、ユーザ機器（ＵＥ）によって行われる、［４７］に記載の方法。
［５４］前記メトリックを決定すること、前記通信用のキャリアを選択すること、および、前記選択されたキャリアで通信することは、ネットワークエンティティによって行われる、［４７］に記載の方法。
［５５］前記複数のキャリアの各々についてのメトリックを決定することは、少なくとも１つの基地局から前記ネットワークエンティティによって受信されたバックホール情報に基づいて、各キャリアについての前記メトリックを決定することを含む、［５４］に記載の方法。
［５６］前記複数のキャリアの各々についてのメトリックを決定することは、ユーザ機器（ＵＥｓ）によって送られた報告に基づいて、各キャリアについての前記メトリックを決定することを含む、［４７］に記載の方法。
［５７］前記複数のキャリアの各々についてのメトリックを決定することは、無線での測定値に基づいて、各キャリアについての前記メトリックを決定することを含む、［４７］に記載の方法。
［５８］通信に利用可能な複数のキャリアの各々についてのメトリックを決定するための手段であって、前記メトリックは、信号強度以外の少なくとも１つのパラメータを含む、手段と、
各キャリアについての前記メトリックに基づいて、前記複数のキャリアの中から、通信用のキャリアを選択するための手段と、
前記選択されたキャリアで通信するための手段
とを含む、無線通信のための装置。
［５９］前記選択されたキャリアで通信するための手段は、
前記基地局のために、アンカーキャリアとして、前記選択されたキャリアを指定するための手段と、
前記選択されたキャリアを介して、前記基地局によって、制御情報を交換するための手段
とを含む、［５８］に記載の装置。
［６０］少なくとも１つのキャリアについてのバー情報を決定することであって、各キャリアについての前記バー情報は、前記キャリアが使用を禁止されているかどうかを示す、ことと、
ユーザ機器（ＵＥｓ）に、前記バー情報を同報すること
とを含む、無線通信のための方法。
［６１］前記少なくとも１つのキャリアは、第１および第２のキャリアを含み、前記第１のキャリアについてのバー情報は、前記第１のキャリアが禁止されていないことを示し、前記第２のキャリアについてのバー情報は、前記第２のキャリアが禁止されていることを示す、［６０］に記載の方法。
［６２］前記少なくとも１つのキャリアは、第１のキャリアを含み、前記第１のキャリアについてのバー情報は、前記第１のキャリアが、第１のＵＥｓのセットに禁止されておらず、第２のＵＥｓのセットに禁止されていることを示す、［６０］に記載の方法。
［６３］少なくとも１つのキャリアについてのバー情報を決定するための手段であって、各キャリアについての前記バー情報は、前記キャリアが使用を禁止されているかどうかを示す、手段と、
ユーザ機器（ＵＥｓ）に前記バー情報を同報するための手段
とを含む、無線通信のための装置。
［６４］前記少なくとも１つのキャリアは、第１および第２のキャリアを含み、前記第１のキャリアについてのバー情報は、前記第１のキャリアが禁止されていないことを示し、前記第２のキャリアについてのバー情報は、前記第２のキャリアが禁止されていることを示す、［６３］に記載の装置。
［６５］前記少なくとも１つのキャリアは、第１のキャリアを含み、前記第１のキャリアについてのバー情報は、前記第１のキャリアが、第１のＵＥｓのセットに禁止されておらず、第２のＵＥｓのセットに禁止されていることを示す、［６３］に記載の装置。
【図１】
0005437367.tif 000002
【図２】
0005437367.tif 000003
【図３Ａ】
0005437367.tif 000004
【図３Ｂ】
0005437367.tif 000005
【図４】
0005437367.tif 000006
【図５】
0005437367.tif 000007
【図６】
0005437367.tif 000008
【図７】
0005437367.tif 000009
【図８】
0005437367.tif 000010
【図９】
0005437367.tif 000011
【図１０】
0005437367.tif 000012
【図１１】
0005437367.tif 000013
【図１２】
0005437367.tif 000014
【図１３】
0005437367.tif 000015
【図１４】
0005437367.tif 000016
【図１５】
0005437367.tif 000017
【図１６】
0005437367.tif 000018
【図１７】
0005437367.tif 000019
【図１８】
0005437367.tif 000020